(57)【要約】【課題】遠隔診療によって患者の生活習慣を改善することができる支援装置、コンピュータプログラム、対象者端末装置、医師端末装置、指導者端末装置及び支援方法を提供する。【解決手段】支援装置は、初回診療により遠隔診療が可能と判断された場合、遠隔診療対象者と医師との間で行われる遠隔診療に基づく医師所見を医師端末装置から受信する受信部と、受信した医師所見に基づいて遠隔診療対象者と改善指導を行う指導者との間で行われる遠隔改善指導に係る改善指導報告を師端末装置へ提供する提供部とを備える。【選択図】図６
2019057171.tif 000002
【特許請求の範囲】
【請求項１】
遠隔診療を支援する支援装置であって、
初回診療により遠隔診療が可能と判断された場合、遠隔診療対象者と医師との間で行われる遠隔診療に基づく医師所見を医師の医師端末装置から受信する受信部と、
該受信部で受信した医師所見に基づいて前記遠隔診療対象者と改善指導を行う指導者との間で行われる遠隔改善指導に係る改善指導報告を前記医師端末装置へ提供する提供部と
を備える支援装置。
【請求項２】
前記受信部は、
産業医が行う前記遠隔診療対象者に対する対面面談に基づく初回診療により遠隔診療が可能と判断された場合、前記医師所見を受信する請求項１に記載の支援装置。
【請求項３】
前記受信部は、
産業医以外の医師が行う前記遠隔診療対象者に対する対面診療に基づく初回診療により遠隔診療が可能と判断された場合、前記医師所見を受信する請求項１に記載の支援装置。
【請求項４】
前記受信部は、
前記初回診療後に、前記遠隔診療対象者と前記医師との間で行われる再診に係る遠隔診療に基づく医師所見を受信し、
前記提供部は、
該受信部で受信した医師所見に基づいて前記遠隔診療対象者と前記指導者との間で行われる遠隔改善指導に係る改善指導報告を前記医師端末装置へ提供する請求項２又は請求項３に記載の支援装置。
【請求項５】
前記遠隔診療対象者に対する遠隔診療の可否情報を取得する取得部と、
該取得部で遠隔診療の可情報を取得した場合、可情報に係る遠隔診療対象者の対象者端末装置へ遠隔診療用アプリケーションを送信するアプリケーション送信部と
を備え、
前記受信部は、
前記遠隔診療用アプリケーションを用いて前記遠隔診療対象者と前記医師との間で行われる遠隔診療に基づく医師所見を受信し、
前記提供部は、
前記遠隔診療用アプリケーションを用いて前記遠隔診療対象者と前記指導者との間で行われる遠隔改善指導に係る改善指導報告を前記医師端末装置へ提供する請求項２から請求項４のいずれか一項に記載の支援装置。
【請求項６】
前記遠隔診療対象者の対象者端末装置へ遠隔診療用アプリケーションを送信するアプリケーション送信部を備え、
前記受信部は、
前記遠隔診療用アプリケーションを用いて前記遠隔診療対象者と前記医師との間で行われる遠隔診療に基づく医師所見を受信し、
前記提供部は、
前記遠隔診療用アプリケーションを用いて前記遠隔診療対象者と前記指導者との間で行われる遠隔改善指導に係る改善指導報告を前記医師端末装置へ提供する請求項１から請求項４のいずれか一項に記載の支援装置。
【請求項７】
前記遠隔診療対象者に対する遠隔診療の可否情報を取得する取得部と、
該取得部で遠隔診療の否情報を取得した場合、前記遠隔診療用アプリケーションによる処理を無効にする無効部と
を備える請求項６に記載の支援装置。
【請求項８】
前記遠隔診療用アプリケーションを用いて入力された遠隔診療の予約日時を前記対象者端末装置から取得する予約日時取得部と、
該予約日時取得部で取得した予約日時よりも所定時間前の時点で遠隔診療の予約ありを通知する通知情報を前記対象者端末装置に送信する通知情報送信部と
を備える請求項５から請求項７のいずれか一項に記載の支援装置。
【請求項９】
前記遠隔診療用アプリケーションを用いて入力された遠隔診療の予約日時に対応する予約時間枠内で受診待ち状態であることを通知する受診待ち情報を前記対象者端末装置から取得する受診待ち情報取得部と、
前記予約時間枠内で受診待ち状態である遠隔診療対象者の一覧情報を前記医師端末装置へ送信する一覧情報送信部と
を備える請求項５から請求項８のいずれか一項に記載の支援装置。
【請求項１０】
前記一覧情報送信部は、
前記予約時間枠内で受診待ち状態である遠隔診療対象者の一覧情報を前記遠隔診療対象者の対象者端末装置へ送信する請求項９に記載の支援装置。
【請求項１１】
前記遠隔診療対象者の遠隔診療の予約時間枠内で前記遠隔診療対象者が受診待ち状態でない場合、該遠隔診療対象者の対象者端末装置に受診待ち情報の入力を要求する要求情報を送信する要求情報送信部を備える請求項９又は請求項１０に記載の支援装置。
【請求項１２】
前記遠隔診療用アプリケーションは、
前記遠隔診療に使用する動画再生機能を含む請求項５から請求項１１のいずれか一項に記載の支援装置。
【請求項１３】
前記遠隔診療用アプリケーションは、
前記遠隔診療対象者が行う自己採血方式の血液検査方法を提供する機能を含む請求項５から請求項１２のいずれか一項に記載の支援装置。
【請求項１４】
前記遠隔診療用アプリケーションは、
前記遠隔改善指導に使用するメッセージ交換機能を含む請求項５から請求項１３のいずれか一項に記載の支援装置。
【請求項１５】
前記提供部は、
前記遠隔診療対象者と前記医師との間で行われた遠隔診療から、次に実施される遠隔診療までの間に、前記遠隔改善指導に係る改善指導報告を提供する請求項１から請求項１４のいずれか一項に記載の支援装置。
【請求項１６】
院内処方を選択する選択情報を前記医師端末装置又は前記遠隔診療対象者の対象者端末装置から取得する選択情報取得部と、
該選択情報取得部で選択情報を取得した場合、前記遠隔診療対象者に処方薬を配送するための配送情報を出力する出力部と
を備える請求項１から請求項１５のいずれか一項に記載の支援装置。
【請求項１７】
企業職員の中から所定の条件で抽出された前記遠隔診療対象者に係る情報を取得する対象者情報取得部を備える請求項１から請求項１６のいずれか一項に記載の支援装置。
【請求項１８】
前記遠隔診療対象者の口座から引き落された遠隔診療に係る医療費から所定額を控除した残額を前記医師の口座へ入金する場合の前記所定額を決定する第１決定部を備える請求項１から請求項１７のいずれか一項に記載の支援装置。
【請求項１９】
前記医師端末装置からのログイン及び遠隔診療に係る情報へのアクセスを受け付ける受付部と、
該受付部で受け付けたアクセスに基づいて求められた遠隔診療の回数に応じた遠隔診療料金を前記医師の口座から引き落す場合の前記遠隔診療料金を決定する第２決定部を備える請求項１から請求項１８のいずれか一項に記載の支援装置。
【請求項２０】
コンピュータに、遠隔診療の支援を実行させるためコンピュータプログラムであって、
コンピュータに、
初回診療により遠隔診療が可能と判断された場合、遠隔診療対象者と医師との間で行われる遠隔診療に基づく医師所見を医師の医師端末装置から受信する処理と、
受信した医師所見に基づいて前記遠隔診療対象者と改善指導を行う指導者との間で行われる遠隔改善指導に係る改善指導報告を前記医師端末装置へ提供する処理と
を実行させるコンピュータプログラム。
【請求項２１】
コンピュータに、遠隔診療の支援を実行させるため遠隔診療対象者の対象者端末装置で動作するコンピュータプログラムであって、
コンピュータに、
遠隔診療の予約を受け付ける処理と、
遠隔診療を行う医師の医師端末装置との間で動画を用いた遠隔診療に関する情報を送受信する処理と、
前記医師の医師所見に基づいて遠隔改善指導を行う指導者の指導者端末装置との間で行われる遠隔改善指導に関する情報を送受信する処理と
を実行させるコンピュータプログラム。
【請求項２２】
コンピュータに、遠隔診療の支援を実行させるため医師の医師端末装置で動作するコンピュータプログラムであって、
コンピュータに、
遠隔診療対象者の対象者端末装置との間で、動画を用いた遠隔診療に関する情報を送受信する処理と、
前記遠隔診療に基づく医師所見を受け付ける処理と、
遠隔改善指導を行う指導者の指導者端末装置から前記医師所見に基づく遠隔改善指導に係る改善指導報告を受信する処理と
を実行させるコンピュータプログラム。
【請求項２３】
コンピュータに、遠隔診療の支援を実行させるため遠隔改善指導を行う指導者の指導者端末装置で動作するコンピュータプログラムであって、
コンピュータに、
遠隔診療対象者の対象者端末装置との間で、遠隔改善指導を行う指導者によって行われた、医師所見に基づく遠隔改善指導に関する情報を送受信する処理と、
前記遠隔改善指導に係る改善指導報告を受け付ける処理と
を実行させるコンピュータプログラム。
【請求項２４】
所定の情報を表示画面に表示する表示制御部を備える遠隔診療対象者の対象者端末装置であって、
前記表示制御部は、
遠隔診療の予約を受け付ける予約画面を表示し、
遠隔診療を行う医師の医師端末装置との間で行われる遠隔診療に関する動画を表示し、
前記医師の医師所見に基づいて遠隔改善指導を行う指導者の指導者端末装置との間で行われる遠隔改善指導に関するメッセージを表示する対象者端末装置。
【請求項２５】
前記遠隔診療対象者に対する遠隔診療の可否情報を受信する受信部を備え、
前記表示制御部は、
前記受信部で遠隔診療の可情報を受信した場合、前記予約画面を表示する請求項２４に記載の対象者端末装置。
【請求項２６】
前記予約画面上で遠隔診療の予約日時の入力又は選択を受け付ける第１受付部を備え、
前記表示制御部は、
前記予約日時よりも所定時間前の時点で遠隔診療の予約ありの通知を表示する請求項２４又は請求項２５に記載の対象者端末装置。
【請求項２７】
遠隔診療の予約日時に対応する予約時間枠内で受診待ち状態であることを示す受診待ち情報の入力又は選択を受け付ける第２受付部を備え、
前記表示制御部は、
前記予約時間枠内で受診待ち状態である遠隔診療対象者の一覧情報を表示する請求項２４から請求項２６のいずれか一項に記載の対象者端末装置。
【請求項２８】
前記表示制御部は、
前記第２受付部で受診待ち情報の入力又は選択を受け付けていない場合、前記予約時間枠の直前又は該予約時間枠内の所要の時点で受診待ち情報の入力又は選択を促す促進情報を表示する請求項２７に記載の対象者端末装置。
【請求項２９】
前記表示制御部は、
院内処方を選択するか否かを受け付ける受付画面を表示し、
院内処方が選択された場合、選択情報を出力する出力部を備える請求項２４から請求項２８のいずれか一項に記載の対象者端末装置。
【請求項３０】
所定の情報を表示画面に表示する表示制御部を備える医師の医師端末装置であって、
前記表示制御部は、
遠隔診療対象者の対象者端末装置との間で行われる前記医師による遠隔診療に関する動画を表示し、
前記遠隔診療に基づく医師所見を受け付ける受付画面を表示し、
前記医師所見に基づく遠隔改善指導に係る改善指導報告を表示する医師端末装置。
【請求項３１】
前記表示制御部は、
初回診療後に、前記遠隔診療対象者に対して行われる再診に係る遠隔診療を許可するか否かの入力又は選択を受け付ける受付画面を表示する請求項３０に記載の医師端末装置。
【請求項３２】
前記表示制御部は、
遠隔診療の予約日時に対応する予約時間枠内で受診待ち状態である遠隔診療対象者の一覧情報を表示する請求項３０又は請求項３１に記載の医師端末装置。
【請求項３３】
前記表示制御部は、
院内処方を選択するか否かを受け付ける受付画面を表示し、
院内処方が選択された場合、選択情報を出力する出力部を備える請求項３０から請求項３２のいずれか一項に記載の医師端末装置。
【請求項３４】
所定の情報を表示画面に表示する表示制御部を備える遠隔改善指導を行う指導者の指導者端末装置であって、
前記表示制御部は、
遠隔診療対象者の対象者端末装置との間で行われる、医師所見に基づく遠隔改善指導に関するメッセージを表示し、
前記遠隔改善指導に係る改善指導報告を受け付ける受付画面を表示する指導者端末装置。
【請求項３５】
遠隔診療を支援する支援方法であって、
初回診療により遠隔診療が可能と判断された場合、遠隔診療対象者と医師との間で行われる遠隔診療に基づく医師所見を医師の医師端末装置から受信し、
受信された医師所見に基づいて前記遠隔診療対象者と改善指導を行う指導者との間で行われる遠隔改善指導に係る改善指導報告を前記医師端末装置へ提供する支援方法。
【請求項３６】
産業医が行う前記遠隔診療対象者に対する対面面談に基づく初回診療により遠隔診療が可能と判断された場合、前記医師所見を受信する請求項３５に記載の支援方法。
【請求項３７】
産業医以外の医師が行う前記遠隔診療対象者に対する対面診療に基づく初回診療により遠隔診療が可能と判断された場合、前記医師所見を受信する請求項３５に記載の支援方法。
【請求項３８】
前記遠隔診療対象者と前記医師との間で行われる、前記初回診療後の再診に係る遠隔診療に基づく医師所見を受信し、
受信された医師所見に基づいて前記遠隔診療対象者と前記指導者との間で行われる遠隔改善指導に係る改善指導報告を前記医師端末装置へ提供する請求項３６又は請求項３７に記載の支援方法。
【請求項３９】
前記遠隔診療対象者に対する遠隔診療の可否情報を取得し、
前記遠隔診療の可情報が取得された場合、可情報に係る遠隔診療対象者の対象者端末装置へ遠隔診療用アプリケーションを送信し、
前記遠隔診療用アプリケーションを用いて前記遠隔診療対象者と前記医師との間で行われる遠隔診療に基づく医師所見を受信し、
前記遠隔診療用アプリケーションを用いて前記遠隔診療対象者と前記指導者との間で行われる遠隔改善指導に係る改善指導報告を前記医師端末装置へ提供する請求項３６から請求項３８のいずれか一項に記載の支援方法。
【請求項４０】
前記遠隔診療対象者の対象者端末装置へ遠隔診療用アプリケーションを送信し、
前記遠隔診療用アプリケーションを用いて前記遠隔診療対象者と前記医師との間で行われる遠隔診療に基づく医師所見を受信し、
前記遠隔診療用アプリケーションを用いて前記遠隔診療対象者と前記指導者との間で行われる遠隔改善指導に係る改善指導報告を前記医師端末装置へ提供する請求項３５から請求項３８のいずれか一項に記載の支援方法。
【発明の詳細な説明】
【技術分野】
【０００１】
本発明は、支援装置、コンピュータプログラム、対象者端末装置、医師端末装置、指導者端末装置及び支援方法に関する。
【背景技術】
【０００２】
生活習慣病を治すためには服薬だけでは十分でなく、食事、運動又は睡眠などの生活習慣を改善することが重要である。一方で、近年の情報通信技術の進展によって、遠隔から医師が患者を診療する遠隔診療支援システムが提案されている（特許文献１参照）。
【先行技術文献】
【特許文献】
【０００３】
【特許文献１】特許第６０１９２９６号公報
【発明の概要】
【発明が解決しようとする課題】
【０００４】
生活習慣を改善するには、例えば、医師が月１回以上の適切な指導と治療管理とを行う必要があり、医師の負担が大きいという課題がある。また、患者は遠隔診療の適性があるか否かを自ら判断することは困難であり、遠隔診療に適さない患者が遠隔診療に参加するおそれがある。
【０００５】
本発明は、斯かる事情に鑑みてなされたものであり、遠隔診療によって患者の生活習慣を改善することができる支援装置、コンピュータプログラム、対象者端末装置、医師端末装置、指導者端末装置及び支援方法を提供することを目的とする。
【課題を解決するための手段】
【０００６】
本発明の実施の形態に係る支援装置は、遠隔診療を支援する支援装置であって、初回診療により遠隔診療が可能と判断された場合、遠隔診療対象者と医師との間で行われる遠隔診療に基づく医師所見を医師の医師端末装置から受信する受信部と、該受信部で受信した医師所見に基づいて前記遠隔診療対象者と改善指導を行う指導者との間で行われる遠隔改善指導に係る改善指導報告を前記医師端末装置へ提供する提供部とを備える。
【０００７】
本発明の実施の形態に係るコンピュータプログラムは、コンピュータに、遠隔診療の支援を実行させるためコンピュータプログラムであって、コンピュータに、初回診療により遠隔診療が可能と判断された場合、遠隔診療対象者と医師との間で行われる遠隔診療に基づく医師所見を医師の医師端末装置から受信する処理と、受信した医師所見に基づいて前記遠隔診療対象者と改善指導を行う指導者との間で行われる遠隔改善指導に係る改善指導報告を前記医師端末装置へ提供する処理とを実行させる。
【０００８】
本発明の実施の形態に係るコンピュータプログラムは、コンピュータに、遠隔診療の支援を実行させるため遠隔診療対象者の対象者端末装置で動作するコンピュータプログラムであって、コンピュータに、遠隔診療の予約を受け付ける処理と、遠隔診療を行う医師の医師端末装置との間で動画を用いた遠隔診療に関する情報を送受信する処理と、前記医師の医師所見に基づいて遠隔改善指導を行う指導者の指導者端末装置との間で行われる遠隔改善指導に関する情報を送受信する処理とを実行させる。
【０００９】
本発明の実施の形態に係るコンピュータプログラムは、コンピュータに、遠隔診療の支援を実行させるため医師の医師端末装置で動作するコンピュータプログラムであって、コンピュータに、遠隔診療対象者の対象者端末装置との間で、動画を用いた遠隔診療に関する情報を送受信する処理と、前記遠隔診療に基づく医師所見を受け付ける処理と、遠隔改善指導を行う指導者の指導者端末装置から前記医師所見に基づく遠隔改善指導に係る改善指導報告を受信する処理とを実行させる。
【００１０】
本発明の実施の形態に係るコンピュータプログラムは、コンピュータに、遠隔診療の支援を実行させるため遠隔改善指導を行う指導者の指導者端末装置で動作するコンピュータプログラムであって、コンピュータに、遠隔診療対象者の対象者端末装置との間で、遠隔改善指導を行う指導者によって行われた、医師所見に基づく遠隔改善指導に関する情報を送受信する処理と、前記遠隔改善指導に係る改善指導報告を受け付ける処理とを実行させる。
【００１１】
本発明の実施の形態に係る対象者端末装置は、所定の情報を表示画面に表示する表示制御部を備える遠隔診療対象者の対象者端末装置であって、前記表示制御部は、遠隔診療の予約を受け付ける予約画面を表示し、遠隔診療を行う医師の医師端末装置との間で行われる遠隔診療に関する動画を表示し、前記医師の医師所見に基づいて遠隔改善指導を行う指導者の指導者端末装置との間で行われる遠隔改善指導に関するメッセージを表示する。
【００１２】
本発明の実施の形態に係る医師端末装置は、所定の情報を表示画面に表示する表示制御部を備える医師の医師端末装置であって、前記表示制御部は、遠隔診療対象者の対象者端末装置との間で行われる前記医師による遠隔診療に関する動画を表示し、前記遠隔診療に基づく医師所見を受け付ける受付画面を表示し、前記医師所見に基づく遠隔改善指導に係る改善指導報告を表示する。
【００１３】
本発明の実施の形態に係る指導者端末装置は、所定の情報を表示画面に表示する表示制御部を備える遠隔改善指導を行う指導者の指導者端末装置であって、前記表示制御部は、遠隔診療対象者の対象者端末装置との間で行われる、医師所見に基づく遠隔改善指導に関するメッセージを表示し、前記遠隔改善指導に係る改善指導報告を受け付ける受付画面を表示する。
【００１４】
本発明の実施の形態に係る支援方法は、遠隔診療を支援する支援方法であって、初回診療により遠隔診療が可能と判断された場合、遠隔診療対象者と医師との間で行われる遠隔診療に基づく医師所見を医師の医師端末装置から受信し、受信された医師所見に基づいて前記遠隔診療対象者と改善指導を行う指導者との間で行われる遠隔改善指導に係る改善指導報告を前記医師端末装置へ提供する。
【発明の効果】
【００１５】
本発明によれば、遠隔診療によって患者の生活習慣を改善することができる。
【図面の簡単な説明】
【００１６】
【図１】本実施の形態の遠隔診療支援サービスの事業モデルの概要の一例を示す模式図である。
【図２】本実施の形態の遠隔診療支援サービスの診療の流れを示す説明図である。
【図３】本実施の形態の遠隔診療支援サービスでの対面診療の診療モデルの一例を示す模式図である。
【図４】本実施の形態の遠隔診療支援サービスの第１実施例のプロセスを示す説明図である。
【図５】本実施の形態の遠隔診療支援システムの構成の一例を示す模式図である。
【図６】本実施の形態のサーバの構成の一例を示すブロック図である。
【図７】本実施の形態の患者ＤＢに記録される情報の一例を示す説明図である。
【図８】本実施の形態の遠隔診療予約情報ＤＢに記録される情報の一例を示す説明図である。
【図９】本実施の形態の医師端末装置の構成の一例を示すブロック図である。
【図１０】本実施の形態の指導者端末装置の構成の一例を示すブロック図である。
【図１１】本実施の形態の対象者端末装置の構成の一例を示すブロック図である。
【図１２】遠隔診療に向く疾病と遠隔診療に向かない疾病の一例を示す説明図である。
【図１３】医科レセプトの主なレコード構成の一例を示す説明図である。
【図１４】本実施の形態の患者選別用情報の一例を示す説明図である。
【図１５】本実施の形態の遠隔診療の対象患者の一覧の一例を示す説明図である。
【図１６】本実施の形態の遠隔診療サービスの案内文書の一例を示す模式図である。
【図１７】本実施の形態の医師端末装置の表示画面に表示される遠隔診療の許可・不許可を受け付ける受付画面の一例を示す模式図である。
【図１８】本実施の形態の対象者端末装置の表示画面に表示される遠隔診療の予約画面３０１の一例を示す模式図である。
【図１９】本実施の形態の対象者端末装置の表示画面に表示される遠隔診療通知画面の一例を示す模式図である。
【図２０】本実施の形態の対象者端末装置の表示画面に表示されるチェックイン画面の一例を示す模式図である。
【図２１】本実施の形態の対象者端末装置の表示画面に表示される遠隔診療受診待ち状況画面の一例を示す模式図である。
【図２２】本実施の形態の医師端末装置の表示画面に表示される遠隔診療受診待ち状況画面の一例を示す模式図である。
【図２３】本実施の形態の対象者端末装置の表示画面に表示されるＴＶ電話画面の一例を示す模式図である。
【図２４】本実施の形態の医師端末装置の表示画面に表示される所見入力画面の一例を示す模式図である。
【図２５】本実施の形態の指導者端末装置の表示画面に表示されるチャットメッセージ画面の一例を示す模式図である。
【図２６】本実施の形態の対象者端末装置の表示画面に表示される改善支援メッセージ画面の一例を示す模式図である。
【図２７】本実施の形態の医師端末装置の表示画面に表示される改善指導報告画面の一例を示す模式図である。
【図２８】本実施の形態の対象者端末装置の表示画面に表示される血液検査キット取扱説明画面の一例を示す模式図である。
【図２９】本実施の形態の対象者端末装置の表示画面に表示される処方選択画面の一例を示す模式図である。
【図３０】本実施の形態の遠隔診療支援システムにより削減可能な医療費項目の一例を示す説明図である。
【図３１】本実施の形態の遠隔診療支援システムにより医療費の削減額の一例を示す説明図である。
【図３２】本実施の形態の遠隔診療支援サービスでのお金の流れの一例を示す模式図である。
【図３３】本実施の形態のサーバの処理手順の一例を示すフローチャートである。
【図３４】本実施の形態のサーバの処理手順の一例を示すフローチャートである。
【図３５】本実施の形態の対象者端末装置の処理手順の一例を示すフローチャートである。
【図３６】本実施の形態の対象者端末装置の処理手順の一例を示すフローチャートである。
【図３７】本実施の形態の医師端末装置の処理手順の一例を示すフローチャートである。
【図３８】本実施の形態の指導者端末装置の処理手順の一例を示すフローチャートである。
【図３９】本実施の形態の遠隔診療支援サービスの第２実施例のプロセスを示す説明図である。
【図４０】本実施の形態の遠隔診療支援サービスの第３実施例のプロセスを示す説明図である。
【図４１】本実施の形態の遠隔診療支援サービスの第４実施例のプロセスを示す説明図である。
【発明を実施するための形態】
【００１７】
以下、本発明の実施の形態を図面に基づいて説明する。図１は本実施の形態の遠隔診療支援サービスの事業モデルの概要の一例を示す模式図である。遠隔診療支援サービスに関わる主体は、例えば、企業（例えば、健康保険組合）、遠隔診療対象者としての対象患者（例えば、組合員患者）、遠隔診療支援サービスを提供する遠隔診療支援事業者、遠隔診療を行う医師等が所属する提携クリニック、生活改善を指導する指導者としての改善指導スタッフとすることができる。なお、対象患者が属する組織として、企業の他に、公務員（例えば、共済組合）、自営業者（国民健康保険）などを含めることもできる。
【００１８】
遠隔診療支援事業者は、企業及び提携クリニックとの間で遠隔診療サービスを提携する。提携クリニックには、企業と契約した産業医及び産業医以外の医師が含まれる。企業は、例えば、産業医面談を行って産業医と業務契約を行うことができる。産業医は、例えば、事業場において労働者の健康管理等について、専門的な立場から指導・助言を行う医師である。産業医以外の医師は、例えば、都市部の事業場の近隣に存在する社内診療所の医師、大学病院の医師（勤務医）又は近隣のクリニックの医師（開業医）などを含む。なお、産業医以外の医師は、遠隔診療を行う医師でもよい。また、企業は、所属する対象患者に対して遠隔診療サービスの利用を推奨することができる。
【００１９】
改善指導スタッフは、例えば、保健師、看護師、薬剤師、管理栄養士、心理相談員、運動指導士などであり、一人に限定されず、複数人による健康指導チームであってもよい。改善指導スタッフと提携クリニックの医師とは医療チームとして連携することができる。
【００２０】
遠隔診療支援事業者は、対象患者に対して遠隔診療を受ける際に使用する遠隔診療用アプリケーションを、対象患者の端末装置へ提供（ダウンロード）する。
【００２１】
対象患者は、遠隔診療用アプリケーションを用いて、提携クリニックの医師による遠隔診療を受けることができる。遠隔診療を行った医師は、遠隔診療支援事業者を介して医師所見を改善指導スタッフに伝えることができる。改善指導スタッフは、医師所見に基づいて対象患者に対して遠隔改善指導を行う。改善指導スタッフは、遠隔診療支援事業者を介して改善指導報告を医師に伝えることができる。医師は、改善指導報告を参考にして次回の遠隔診療を行うことができる。
【００２２】
医師と対象患者との間の遠隔診療は、遠隔診療用アプリケーションを用いたＴＶ電話により行うことができる。また、改善指導スタッフと対象患者との間の遠隔改善指導は、遠隔診療用アプリケーションを用いたチャットメッセージ交換により行うことができる。
【００２３】
図２は本実施の形態の遠隔診療支援サービスの診療の流れを示す説明図である。遠隔診療の適法性という観点から、遠隔診療は、医師と対象患者とが直接対面して行われる対面診療と適切に組み合わせた上で、医療の質に十分配慮する必要がある。対面診療としては、図２に示すように、初診通院（社内診療所以外の病院や診療所への通院）による対面診療、産業医による対面面談、及び社内診療所の医師による対面診療の３通りのパターンがある。対面診療では、対象患者が遠隔診療に向くかどうかの判断が行われる。
【００２４】
初診通院による対面診療では、例えば、対象患者がクリニックの問診票に記入し、既存通院時の情報を（例えば、診療明細、調剤明細、検査結果など）持参することができる。
【００２５】
産業医による対面面談では、例えば、産業医が社内健康診断結果を参照し、対象患者が既存通院時の情報を（例えば、診療明細、調剤明細、検査結果など）持参することができる。産業医は、対面面談を行って面接指導結果報告書を作成する。面接指導結果報告書は、例えば、現代医学から見て疾病に対して一応の診断を下し得る程度の情報であり、対象患者の同意により産業医から遠隔診療を行う医師に提供することができる。
【００２６】
社内診療所の医師による対面診療では、例えば、診療情報（カルテ）に基づいて患者診療情報（紹介状）が作成される。患者診療情報は、例えば、すでに疾病に対して診断が下っており、遠隔診療においても十分な診療が行える程度の情報である。
【００２７】
初回診療としての対面診療の後は、医師による遠隔診療が行われる。遠隔診療に先立って、遠隔診療の予約が行われる。遠隔診療の予約の段階では、例えば、遠隔診療用アプリケーションを用いて、対象患者の診察券番号、保険証番号、予約日時などの入力が行われ、初回時には、医療費の決済のため対象患者のクレジットカードの登録を行うことができる。また、健診結果などの近々の血液検査結果があれば、血液検査結果の画像を登録することができる。また、遠隔診療の段階で医師から血液検査の指示が出て、自己採血検査を行った場合にも、血液検査結果の画像を登録することができる。
【００２８】
遠隔診療は、遠隔診療用アプリケーションを用いて、対象患者と医師との間でビデオチャット（ＴＶ電話）により行うことができる。遠隔診療では、ビデオチャット問診、医師からの処方説明、服薬指導、生活習慣改善の勧めなどが行われる。
【００２９】
遠隔改善指導は、遠隔診療用アプリケーションを用いて、対象患者と改善指導スタッフとの間で行うことができ、チャットメッセージでの改善指導、対象患者からの日々活動のアップ、医師への改善指導報告などが行われる。
【００３０】
図３は本実施の形態の遠隔診療支援サービスでの対面診療の診療モデルの一例を示す模式図である。図３に示すように、対象患者には、都市部の事業所で勤務する者、地方の事業所で勤務する者が含まれる。都市部の対象患者は、社内診療所としての提携クリニックに行って受診することにより、対面診療を行う。都市部の対象患者については、診療情報（カルテ）が記録される。対面診療を初回診療として、その後の再診に係る遠隔診療は提携クリニックの医師により行われる。地方の対象患者は、産業医が地方事業所に出向いて対面面談を行う。地方の対象患者については、面接指導結果報告書が記録される。対面面談を初回診療として、その後の再診に係る遠隔診療は提携クリニックの医師により行われる。図３に示すような診療モデルにより、都市部の対象患者と地方の対象患者とで、均質で公平な遠隔診療支援サービスを提供することができる。
【００３１】
次に、本実施の形態の遠隔診療支援サービスにおけるプロセスの流れについて説明する。以下では、４通りのプロセスの流れについて第１実施例から第４実施例として説明するが、まず第１実施例について説明する。
【００３２】
図４は本実施の形態の遠隔診療支援サービスの第１実施例のプロセスを示す説明図である。以下、プロセスＰ１からＰ１１について説明する。
【００３３】
プロセスＰ１では、企業職員（例えば、企業健保の組合員など）の中から所定の条件で対象患者を抽出する。所定の条件は、例えば、遠隔診療に適した軽度な生活習慣病患者（例えば、高血圧、糖尿病、脂質異常、高尿酸などの患者）を抽出することができる条件とすることができ、別言すれば、癌などの医師の指導が必要なもの、重症な疾患、感染症又は精神疾患などの遠隔診療に適さないものを除外するための条件とすることができる。対象患者の抽出は、企業職員の健診結果を用いてもよく、あるいは企業職員のレセプトを分析して抽出してもよい。これにより、企業職員の中から遠隔診療の対象となる患者を絞り込むことができる。
【００３４】
プロセスＰ２では、健診、レセプト分析等によって抽出された対象患者の対象者端末装置に遠隔診療用アプリケーションを提供する。遠隔診療用アプリケーションは、対象者端末装置にダウンロードされ、インストールされる。遠隔診療用アプリケーションの提供は、遠隔診療支援事業者の支援装置（サーバ）から行うことができる。
【００３５】
プロセスＰ３では、対象患者は、遠隔診療用アプリケーションを用いて、産業医、診療所医（社内診療所の医師）、遠隔診療を行う医師のいずれによる初診（対面診療）を予約する。
【００３６】
プロセスＰ４では、産業医による対面面談、あるいは、診療所医又は遠隔診療を行う医師による対面診療が行われる。対面診療により、対象患者が遠隔診療に適した患者であるか否かが判断される。
【００３７】
プロセスＰ５では、対象患者は、遠隔診療用アプリケーションを用いて、遠隔診療の予約を行う。
【００３８】
プロセスＰ６では、遠隔診療用アプリケーションを用いて、医師による遠隔診療が行われる。なお、遠隔診療は、ＴＶ電話を用いることができる。
【００３９】
プロセスＰ７では、医師は、遠隔診療の結果を医師所見として、例えば、医師端末装置から入力する。医師によって入力された医師所見は、支援装置を経由して遠隔改善指導を行う改善指導スタッフの指導者端末装置に出力される。
【００４０】
プロセスＰ８、Ｐ９では、医師所見に基づいて改善指導スタッフによる遠隔改善指導が行われる。遠隔改善指導は、遠隔診療用アプリケーションを用いて、チャットメッセージの交換により行うことができる。医師により遠隔診療が１か月に１回の頻度で行われる場合、その１か月の間に、遠隔改善指導は、対象患者の病状等に応じて、１又は複数回行うことができる。
【００４１】
プロセスＰ１０では、改善指導スタッフは、遠隔改善指導の結果を改善指導報告として、例えば、指導者端末装置から入力する。改善指導スタッフによって入力された改善指導報告は、支援装置を経由して医師端末装置に出力される。
【００４２】
プロセスＰ１１では、対象患者は、遠隔診療用アプリケーションを用いて、次回の遠隔診療の予約を行う。以降、プロセスＰ６〜Ｐ１０と同様のプロセスが繰り返される。
【００４３】
図５は本実施の形態の遠隔診療支援システムの構成の一例を示す模式図である。遠隔診療支援システムは、遠隔診療を行う医師が使用する医師端末装置１０、遠隔改善指導を行う改善指導スタッフが使用する指導者端末装置２０、対象患者が使用する対象者端末装置３０、支援装置としてのサーバ５０、レセプト分析サーバ７０などを備える。医師端末装置１０、指導者端末装置２０、対象者端末装置３０、サーバ５０及びレセプト分析サーバ７０は、通信ネットワーク１を介してお互いに接続されている。サーバ５０は、医師端末装置１０、指導者端末装置２０及び対象者端末装置３０の間の情報の授受を制御、管理する機能を有する。なお、図１では便宜上、対象者端末装置３０を一つだけ図示しているが、対象者端末装置３０は、対象患者の数に相当する数だけ存在する。また、医師端末装置１０及び指導者端末装置２０も複数存在してもよい。
【００４４】
医師端末装置１０は、表示画面１１を備え、例えば、パーソナルコンピュータ、タブレットなどの情報処理装置で構成される。指導者端末装置２０は、表示画面２１を備え、例えば、パーソナルコンピュータ、タブレットなどの情報処理装置で構成される。対象者端末装置３０は、表示画面３１を備え、例えば、スマートフォン、タブレット、ノート型パーソナルコンピュータ等で構成される。対象者端末装置３０は、生体センサ又は計測器（例えば、血圧計、歩数計等）などの機器（不図示）と近距離通信によって接続することができる。機器は、後述のバイタルデータを検出して対象者端末装置３０へ出力することができる。
【００４５】
医師端末装置１０と対象者端末装置３０との間では、ＴＶ電話を行うことができる。これにより、患者は、医師による遠隔診療を受けることができる。
【００４６】
指導者端末装置２０と対象者端末装置３０との間では、チャットメッセージの交換を行うことができる。これにより、対象患者は、改善指導スタッフによる遠隔改善指導を受けることができる。なお、改善指導スタッフは、一人に限定されず、例えば、保健師、看護師、薬剤師、管理栄養士、心理相談員、運動指導士などの複数人による健康指導チームであってもよい。
【００４７】
レセプト分析サーバ７０は、例えば、生活習慣病にかかっている患者を当該患者のレセプトを分析することにより、遠隔診療に向く候補患者を抽出する機能を提供する。
【００４８】
より具体的には、レセプト分析サーバ７０は、企業職員（例えば、企業健保の組合員など）の中から所定の条件で対象患者を抽出し、抽出した対象患者に係る情報をサーバ５０に出力する。レセプト分析サーバ７０は、図４で説明したプロセスＰ１の処理を行うことができる。
【００４９】
図６は本実施の形態のサーバ５０の構成の一例を示すブロック図である。支援装置としてのサーバ５０は、サーバ５０全体を制御する制御部５１、第１通信部５２、第２通信部５３、第３通信部５４、チャット機能提供部５５、対象患者情報取得部５６、遠隔診療無効部５７、患者ＤＢ５８、遠隔診療予約情報ＤＢ５９、通知用情報ＤＢ６０、出力部６１、決定部６２などを備える。
【００５０】
第１通信部５２は、通信ネットワーク１を介して医師端末装置１０との間の通信機能を提供する。
【００５１】
第２通信部５３は、通信ネットワーク１を介して指導者端末装置２０との間の通信機能を提供する。
【００５２】
第３通信部５４は、通信ネットワーク１を介して対象者端末装置３０との間の通信機能を提供する。
【００５３】
チャット機能提供部５５は、表示制御部としての機能を有し、指導者端末装置２０と対象者端末装置３０との間において、チャットメッセージの交換（送受信）機能を提供する。チャットメッセージは、例えば、表示画面上に表示される文字列、絵文字、アイコンなどを含む。
【００５４】
対象患者情報取得部５６は、企業職員（例えば、企業健保の組合員など）の中から所定の条件で抽出された遠隔診療対象者に係る情報をレセプト分析サーバ７０から取得する。
【００５５】
第１通信部５２は、取得部としての機能を有し、対象患者に対する遠隔診療の可否情報を取得する。可否情報は、対象患者が遠隔診療に適しているか否かを示す情報である。可否情報は、例えば、医師端末装置１０から取得することができるが、医師端末装置１０に限定されない。なお、対象患者が遠隔診療に適しているか否かは、図４のプロセスＰ４で判断される。
【００５６】
遠隔診療無効部５７は、第１通信部５２で遠隔診療の否情報を取得した場合、遠隔診療用アプリケーションによる処理を無効にする。否情報は、対象患者が遠隔診療に適していないことを示す情報である。遠隔診療用アプリケーションによる処理は、遠隔診療用アプリケーションを用いて行う処理であり、例えば、医師との遠隔診療、改善指導スタッフとの遠隔改善指導などが含まれる。
【００５７】
これにより、対象患者が遠隔診療に適しているか否かに関わらず、対象患者の対象者端末装置３０へ予め遠隔診療用アプリケーションを送信した場合でも、遠隔診療に適さない者は遠隔診療用アプリケーションを用いることができないので、遠隔診療に誤って参加することを防止することができる。
【００５８】
患者ＤＢ５８は、患者に関する情報を患者毎に区分して記録するデータベースである。
【００５９】
図７は本実施の形態の患者ＤＢ５８に記録される情報の一例を示す説明図である。患者ＤＢ５８は、例えば、患者名、対象患者のバイタルデータ、対象患者に対して行った遠隔診療に基づく医師所見（治療方針）、対象患者と改善指導スタッフとの間で行われたチャットメッセージの履歴を示すチャットログ、改善指導スタッフによって医師に報告された改善指導報告などの情報を記録する。なお、図示していないが、対象患者の情報として、例えば、性別、年齢、身長、体重などのヘルスデータ、血液検査などの検査データを含めることができる。
【００６０】
バイタルデータは、生体に関するデータであり、例えば、血圧、心拍、体重、歩数、睡眠時間、食事摂取量などを含む。バイタルデータは、例えば、機器（不図示）によって検出して対象者端末装置３０に出力してもよく、あるいは対象者端末装置３０内のアプリケーションによって直接検出してもよい。
【００６１】
遠隔診療予約情報ＤＢ５９は、遠隔診療を予約した対象患者に関する情報を記録する。
【００６２】
図８は本実施の形態の遠隔診療予約情報ＤＢ５９に記録される情報の一例を示す説明図である。遠隔診療予約情報ＤＢ５９は、予約時間枠、患者リスト、チェックインの有無などの情報を記録する。
【００６３】
第３通信部５４は、予約日時取得部としての機能を有し、遠隔診療用アプリケーションを用いて入力された遠隔診療の予約日時を対象者端末装置３０から取得する。これにより、対象患者は、病院又は診療所などに実際に行って診療の予約をする必要がなく、都合のよい時に簡単に遠隔診療の予約を行うことができる。
【００６４】
予約時間枠は、例えば、複数の予約を一つの纏まりとして管理するための時間枠であり、例えば、３０分とすることができる。例えば、第３通信部５４で取得した予約日時を、任意の日の午前１０時とすると、予約日時に対応する予約時間枠は、午前１０時から１０時３０分までとすることができる。
【００６５】
チェックインの有無は、対象患者が受診待ち状態であるか否かを示す情報である。受診待ち状態（チェックイン有り）は、例えば、対象患者が医師による遠隔診療を待っている状態であり、通院の場合に患者が待合室で受診待ちを行っている状態と同様な状態を表すものである。対象患者が対象者端末装置３０から遠隔診療用アプリケーションを用いてチェックインを行うことにより、予約通りに予約時間枠内で対象患者が受診待ちをしているのか否かを把握することができる。
【００６６】
患者リストは、受診待ちしている対象患者の一覧である。
【００６７】
通知用情報ＤＢ６０は、対象患者に対して遠隔診療サービスの案内を郵送又は送信する際に必要となる対象患者に関する情報を記録する。なお、通知用情報の詳細は後述する。
【００６８】
出力部６１は、遠隔診療サービスの案内を作成するための案内データを出力する。
【００６９】
第１通信部５２又は第３通信部５４は、選択情報取得部としての機能を有し、院内処方を選択する選択情報を医師端末装置１０又は対象者端末装置３０から取得する。患者の希望により薬局で薬を受け取る代わりに院内処方とすることができる。遠隔診療を受ける際に、医師が対象患者から院内処方を選択したいという希望を聞き取った場合、医師は、院内処方を選択する選択情報を医師端末装置１０から入力することができる。また、対象患者が自ら選択情報を対象者端末装置３０から入力することができる。
【００７０】
出力部６１は、第１通信部５２又は第３通信部５４で選択情報を取得した場合、対象患者に処方薬を配送するための配送情報を出力する。これにより、処方薬が対象患者の自宅等に配送されるので、対象患者は、薬を受け取るために薬局に行く必要がなく、薬局に行くための移動時間、調剤待ちなどが不要となり、手間を省くことができる。
【００７１】
決定部６２は、第１決定部及び第２決定部としての機能を有する。決定部６２の詳細は後述する。
【００７２】
図９は本実施の形態の医師端末装置１０の構成の一例を示すブロック図である。医師端末装置１０は、表示画面１１に加えて、装置全体を制御する制御部１２、通信部１３、入力部１４、記憶部１５、表示制御部１６、ＴＶ電話処理部１７などを備える。
【００７３】
通信部１３は、通信ネットワーク１を介してサーバ５０との間の通信機能を提供する。
【００７４】
入力部１４は、例えば、キーボード、マウス、タッチパッド、タッチパネル等で構成され、文字の入力、表示画面１１上のアイコン、ボタン、メニュバー、ウィンドウ、カーソル等に対する操作を行うことができる。入力部１４は、音声入力機能を備えることにより、医師の音声を受け付けるようにしてもよい。
【００７５】
記憶部１５は、サーバ５０から取得した情報、入力部１４から入力した情報などを記憶することができる。
【００７６】
表示制御部１６は、表示画面１１上に所定の情報を表示するための処理を行う。
【００７７】
ＴＶ電話処理部１７は、カメラ、マイク、スピーカ等を備え、対象者端末装置３０との間でＴＶ電話を行うための処理を実行する。
【００７８】
なお、表示制御部１６及びＴＶ電話処理部１７が行う処理は、アプリケーションプログラム（コンピュータプログラム）で実現することができる。すなわち、医師端末装置１０が具備するＲＡＭ（不図示）にコンピュータプログラムをロードし、ロードしたコンピュータプログラムの各処理をＣＰＵで実行させることにより、表示制御部１６及びＴＶ電話処理部１７の処理を実現することができる。
【００７９】
図１０は本実施の形態の指導者端末装置２０の構成の一例を示すブロック図である。指導者端末装置２０は、表示画面２１に加えて、装置全体を制御する制御部２２、通信部２３、入力部２４、記憶部２５、表示制御部２６、チャットメッセージ処理部２７などを備える。
【００８０】
通信部２３は、通信ネットワーク１を介してサーバ５０との間の通信機能を提供する。
【００８１】
入力部２４は、例えば、キーボード、マウス、タッチパッド、タッチパネル等で構成される。入力部２４は、文字の入力、表示画面１１上のアイコン、ボタン、メニュバー、ウィンドウ、カーソル等に対する操作を行うことができる。なお、入力部２４は、音声入力機能を備えることにより、改善指導スタッフの音声を受け付けるようにしてもよい。
【００８２】
記憶部２５は、サーバ５０から取得した情報、入力部２４から入力した情報などを記憶することができる。
【００８３】
表示制御部２６は、表示画面２１上に所定の情報を表示するための処理を行う。
【００８４】
チャットメッセージ処理部２７は、対象者端末装置３０との間でチャットメッセージの送受信を行うための処理を実行する。
【００８５】
なお、表示制御部２６及びチャットメッセージ処理部２７が行う処理は、アプリケーションプログラム（コンピュータプログラム）で実現することができる。すなわち、指導者端末装置２０が具備するＲＡＭ（不図示）にコンピュータプログラムをロードし、ロードしたコンピュータプログラムの各処理をＣＰＵで実行させることにより、表示制御部２６及びチャットメッセージ処理部２７の処理を実現することができる。
【００８６】
図１１は本実施の形態の対象者端末装置３０の構成の一例を示すブロック図である。対象者端末装置３０は、表示画面３１に加えて、装置全体を制御する制御部３２、通信部３３、入力部３４、記憶部３５、インタフェース部３６、表示制御部３７、チャットメッセージ処理部３８、ＴＶ電話処理部３９などを備える。
【００８７】
通信部３３は、通信ネットワーク１を介してサーバ５０との間の通信機能を提供する。
【００８８】
入力部３４は、タッチパネル等で構成され、文字の入力、表示画面１１上のアイコン、ボタン、メニュバー、ウィンドウ、カーソル等に対する操作を行うことができる。なお、入力部３４は、音声入力機能を備えることにより、患者の音声を受け付けるようにしてもよい。
【００８９】
記憶部３５は、サーバ５０から取得した情報、入力部３４から入力した情報などを記憶することができる。
【００９０】
インタフェース部３６は、不図示の機器との間のインタフェース機能を提供する。
【００９１】
表示制御部３７は、表示画面３１上に所定の情報を表示するための処理を行う。
【００９２】
チャットメッセージ処理部３８は、指導者端末装置２０との間でチャットメッセージの送受信を行うための処理を実行する。
【００９３】
ＴＶ電話処理部３９は、カメラ、マイク、スピーカ等を備え、医師端末装置１０との間でＴＶ電話を行うための処理を実行する。
【００９４】
なお、表示制御部３７、チャットメッセージ処理部３８及びＴＶ電話処理部３９が行う処理は、アプリケーションプログラム（コンピュータプログラム）で実現することができる。すなわち、対象者端末装置３０が具備するＲＡＭ（不図示）にコンピュータプログラムをロードし、ロードしたコンピュータプログラムの各処理をＣＰＵで実行させることにより、表示制御部３７、チャットメッセージ処理部３８及びＴＶ電話処理部３９の処理を実現することができる。
【００９５】
次に、遠隔診療に適した対象患者の抽出（特定）方法について説明する。
【００９６】
図１２は遠隔診療に向く疾病と遠隔診療に向かない疾病の一例を示す説明図である。遠隔診療に向く対象患者は、例えば、すでに診断が確定されており、病状が安定していて問診と服薬のみの慢性疾患の患者であり、精密な検査や医師の触診・処置など治療に特別な設備や行為が不要な患者とすることができる。例えば、図１２に示すように、一般内科では、高血圧、糖尿病、脂質異常、高尿酸などの患者が遠隔診療に適している。一方、外科・手術を伴う疾病、急性期疾患などの患者は遠隔診療に適さない。遠隔診療に適した対象患者の抽出は、例えば、健康診断の結果によって行うことができる。
【００９７】
また、遠隔診療に適した対象患者の抽出にレセプトデータを用いることもできる。レセプトデータは、電子レセプト（診療報酬明細）に記載されたデータである。電子レセプトは、ＣＳＶ形式のテキストで電子的に記録されたレセプトであり、例えば、医科レセプト、調剤レセプト、歯科レセプト、入院レセプトなどの種類がある。
【００９８】
図１３は医科レセプトの主なレコード構成の一例を示す説明図である。図１３に示すように、レコード構成は、レセプト種別、主なレコード内容などの欄で構成される。レコード種別としては、例えば、レセプト管理、医療機関情報、レセプト共通、保険者、傷病名、診療行為、医薬品などがある。傷病名については、傷病名毎に傷病名コードが定義され、診療行為についても診療行為毎に診療行為コードが定義されている。
【００９９】
レセプトデータに含まれる任意の患者に係る傷病名又は診療行為に基づいて、所定疾患の患者を抽出する。具体的には、レセプトデータから患者の氏名、保険者番号、傷病名（傷病名コード）、診療行為（診療行為コード）、診療費、調剤費などを読み込み、医科レセプトと調剤レセプトとを名寄せする。そして、対象患者を抽出するための各レコード条件を設定し、対象患者を絞り込む。所定疾患の患者は、例えば、生活習慣病の患者とすることができる。
【０１００】
図１４は本実施の形態の患者選別用情報の一例を示す説明図である。患者選別用情報は、患者を対象患者とするか対象外患者とするか選別するための基準となる情報を含む。図１４に示すように、患者選別用情報は、項目名、コード、判定、名称の各欄で構成されている。判定の欄で「該当」とあるのは、患者を対象患者とするという意味であり、「除外」とあるのでは、患者を対象外患者（遠隔診療に適さない患者）とするという意味である。
【０１０１】
図１４に示すように、２型糖尿病、高血圧症は、比較的軽度の疾患であるため、判定は「該当」となっており、遠隔診療に適した傷病名である。一方、傷病名が胃癌、甲状腺癌などは重篤な疾患であり、判定は「除外」となっている。また診療行為が生活習慣病管理料は、既に生活習慣病の指導を受けているので、判定は「除外」となっている。なお、コード、判定、名称の各欄の内容は図１４の例に限定されるものではなく、実際には、コード、判定、名称等はさらに多くの内容を含めることができる。
【０１０２】
これにより、遠隔診療が可能な患者を適切に抽出することができる。
【０１０３】
図１５は本実施の形態の遠隔診療の対象患者の一覧の一例を示す説明図である。図１５に示すように、レセプト分析に基づく遠隔診療対象患者リストには、例えば、被保険者証記号、非保険者証番号、氏名、生年月日、性別、傷病名、診療報酬費、調剤費などの情報を含めることができる。サーバ５０は、遠隔診療対象患者リストを、例えば、レセプト分析サーバ７０から取得することができる。
【０１０４】
通知用情報ＤＢ６０には、通知用データが記録される。図１５に示すように、遠隔診療対象患者リストと、住所又はメールアドレスなどの連絡先が記載された社員名簿とで名寄せを行うことによって、サーバ５０は、遠隔診療の対象患者への通知用データを生成することができる。通知用データには、例えば、被保険者証記号、非保険者証番号、氏名、メールアドレス、住所、性別、傷病名、診療報酬費、調剤費などの情報を含めることができる。これにより、遠隔診療に向く患者の人数を把握することができる。また、遠隔診療に向く患者に対して遠隔診療サービスの案内を通知することができる。
【０１０５】
図１６は本実施の形態の遠隔診療サービスの案内文書の一例を示す模式図である。案内文書は、上段の欄、中段の欄、下段の欄に分けて記載箇所が配置されている。
【０１０６】
上段の欄には、遠隔診療の対象患者に対する共通の案内文が記載されている。例えば、「＜遠隔診療のご案内＞」、「ビデオ通話で医師の診察が受けられます」、「あらかじめ予約できるので便利です」などの文言が記載されている。
【０１０７】
中段の欄には、遠隔診療の対象患者それぞれの個別の案内文が記載されている。例えば、「あなたの傷病名は脂質異常症です」、「遠隔診療に参加できる可能性があります（最終的に医師の対面判断が必要です）」などの文言が記載されている。
【０１０８】
下段の欄には、個別のメニューが記載されている。例えば、「あなたにお勧めの生活改善メニューです」、「医師・保健師がサポートします」、「食事改善プログラム−ヘルシーメニュー」、「運動プログラム−ウォーキングコース」、「運動プログラム−エクササイズコース」、などの文言が記載され、二重丸は必須メニューであり、丸は推奨メニューであることが示されている。また、ホームページにアクセスするためのＱＲコード（登録商標）が記載されている。
【０１０９】
これにより、遠隔診療の対象患者に対して遠隔診療サービスへの参加を促すことができる。
【０１１０】
次に、本実施の形態の遠隔診療支援システムの動作について説明する。
【０１１１】
図１７は本実施の形態の医師端末装置１０の表示画面１１に表示される遠隔診療の許可・不許可を受け付ける受付画面の一例を示す模式図である。
【０１１２】
表示制御部１６は、表示画面１１に遠隔診療の許可・不許可を受け付ける受付画面を表示する、受付画面は、患者情報領域１０１、初回診療結果領域１０２、遠隔診療許可・不許可受付領域１０３などを有する。患者情報領域１０１には、例えば、患者名が表示される。初回診療結果領域１０２は、診療情報（カルテ）又は面接指導結果報告のいずれか一方が表示される。遠隔診療を行う医師は、初回診療の結果に基づいて、当該対象患者に対して遠隔診療を許可するか、不許可にするかを選択することができる。これにより、遠隔診療に適している対象患者を特定し、遠隔診療に適さない者が誤って遠隔診療に参加することを防止することができる。なお、初回に対面診療を行う医師、あるいは対面面談を行う産業医が、当該対象患者に対して遠隔診療を許可するか、不許可にするかを選択し、遠隔診療を行う医師が、確認後に決定してもよい。また、受付画面は、図１７の例に限定されない。
【０１１３】
通信部１３は、遠隔診療の可否情報をサーバ５０へ送信する。可否情報は、対象患者が遠隔診療に適しているか否かを示す情報である。
【０１１４】
第３通信部５４は、遠隔診療の可否情報を受信するとともに、受信した可否情報を対象者端末装置３０へ送信する。
【０１１５】
通信部３３は、サーバ５０から送信された遠隔診療の可否情報を受信する。
【０１１６】
第３通信部５４は、アプリケーション送信部としての機能を有し、対象者端末装置３０へ遠隔診療用アプリケーションを送信する。なお、対象患者が遠隔診療に適しているか否かに関わらず、対象者端末装置３０へ予め遠隔診療用アプリケーションを送信することができる。
【０１１７】
図１８は本実施の形態の対象者端末装置３０の表示画面３１に表示される遠隔診療の予約画面３０１の一例を示す模式図である。表示制御部３７は、遠隔診療の予約を受け付ける予約画面３０１を表示する。図１８に示すように、予約画面３０１には、予約可能な日時を検索するために、年月日の検索範囲及び時間帯の検索範囲を設定する領域、検索ボタン３０１ａ、予約可能な日時を表示する領域３０１ｂ、選択ボタン３０１ｃなどが表示される。
【０１１８】
入力部３４は、第１受付部としての機能を有し、予約画面３０１で選択又は入力された遠隔診療の予約日時を受け付ける。
【０１１９】
通信部３３は、受け付けた予約日時をサーバ５０へ送信する。
【０１２０】
第３通信部５４は、予約日時取得部としての機能を有し、遠隔診療の予約日時を対象者端末装置３０から取得する。取得した予約日時は、遠隔診療予約情報ＤＢ５９に記録される。
【０１２１】
また、通信部３３で遠隔診療の可情報を受信した場合、表示制御部３７が予約画面３０１を表示するようにしてもよい。可情報は、対象患者が遠隔診療に適していることを示す情報である。これにより、遠隔診療に適している対象患者だけが遠隔診療の予約を行うことができる。
【０１２２】
図１９は本実施の形態の対象者端末装置３０の表示画面３１に表示される遠隔診療通知画面３０２の一例を示す模式図である。第３通信部５４は、通知情報送信部としての機能を有し、取得した予約日時よりも所定時間前の時点で遠隔診療の予約ありを通知する通知情報を対象者端末装置３０に送信する。所定時間は、例えば、６時間、１２時間、１日など適宜の時間とすることができる。所定時間は、対象患者が対象者端末装置３０から入力して設定してもよく、対象患者が設定していない場合には、サーバ５０で予め定めた時間を用いてもよい。
【０１２３】
表示制御部３７は、予約日時よりも所定時間前の時点で遠隔診療の予約ありの通知を表示する。これにより、対象患者は、遠隔診療の予約があることを前もって通知されるので、予約日時に遠隔診療を忘れずに受けることができる。
【０１２４】
図２０は本実施の形態の対象者端末装置３０の表示画面３１に表示されるチェックイン画面３０３の一例を示す模式図である。表示制御部３７は、チェックイン画面３０３を表示する。チェックイン画面３０３は、遠隔診療の予約日時に対応する予約時間枠内で受診待ち状態であることを示す受診待ち情報の入力又は選択を受け付ける画面である。
【０１２５】
図２０の例では、遠隔診療予約日時が、予約時間枠（例えば、４月２７日１３：００〜１３：３０の如く）として表示され、チェックインボタン３０３ａを操作することにより、当該予約時間枠で受診待ち状態であることを示す受診待ち情報の入力又は選択が行われる。入力部３４は、第２受付部としての機能を有し、受診待ち情報の入力又は選択を受け付ける。
【０１２６】
通信部３３は、受診待ち情報をサーバ５０へ送信する。
【０１２７】
第３通信部５４は、受診待ち情報取得部としての機能を有し、受診待ち情報を対象者端末装置３０から取得する。取得した受診待ち情報は、遠隔診療予約情報ＤＢ５９に記録される。
【０１２８】
図２１は本実施の形態の対象者端末装置３０の表示画面３１に表示される遠隔診療受診待ち状況画面３０４の一例を示す模式図である。第３通信部５４は、一覧情報送信部としての機能を有し、予約時間枠内で受診待ち状態である対象患者の一覧情報を対象者端末装置３０及び医師端末装置１０へ送信する。
【０１２９】
通信部３３は、対象患者の一覧情報を受信する。表示制御部３７は、予約時間枠内で受診待ち状態である対象患者の一覧情報を表示する。図２１の例では、２０１７年４月２７日１３：００〜１３：３０の予約時間枠内で、自身を含めて４人の患者が受診待ちであることが分かる。また、最初の患者（患者１）は、受診中であり、患者２、自身、患者４が、この順序で受診待ちであることが分かる。
【０１３０】
これにより、対象患者は、予約時間枠内で受診を待っている他の対象患者を把握することができ、例えば、医師からのＴＶ電話を待っている場合に、予約時間枠内での遠隔診療の進捗状況を把握することができ、対象患者に安心感を与えることができる。
【０１３１】
図２２は本実施の形態の医師端末装置１０の表示画面１１に表示される遠隔診療受診待ち状況画面１０４の一例を示す模式図である。表示制御部１６は、遠隔診療の予約日時に対応する予約時間枠内で受診待ち状態である対象患者の一覧情報を表示する。
【０１３２】
図２２の例では、遠隔診療受診待ち状況画面１０４には、２０１７年４月２７日１３：００〜１３：３０の予約時間枠内で３人の対象患者が受診待ちであることが分かる。また、２０１７年４月２７日１３：３０〜１４：００の予約時間枠内で受診待ち状況も画面をスクロールすることにより確認することができる。
【０１３３】
受診待ちの各対象患者に対応させて当該対象患者の診療情報を表示させるための表示ボタン１０５が表示されている。医師が表示ボタン１０５を操作することにより、当該対象患者の診療情報を表示領域１０６に表示することができる。これにより、医師は、遠隔診療を行う前に対象患者の診療情報を確認することができる。
【０１３４】
また、受診待ちの各対象患者に対応させてＴＶ電話を開始するための発信ボタン１０７が表示されている。医師が発信ボタン１０７を操作することにより、当該対象患者の対象者端末装置３０との間でＴＶ電話を行うことができる。
【０１３５】
上述の構成により、医師は、予約時間枠内で受診を待っている対象患者を把握することができ、例えば、ＴＶ電話の発信を行った場合に、相手がＴＶ電話に出ないという事態を防止することができ、多忙な医師が時間を無駄にすることを防止することができる。
【０１３６】
また、第３通信部５４は、要求情報送信部としての機能を有し、遠隔診療の予約時間枠内で対象患者が受診待ち状態でない場合、当該対象患者の対象者端末装置３０に受診待ち情報の入力を促す要求情報を送信することができる。
【０１３７】
要求情報を送信する時点は、予約時刻よりも前でもよく、予約時間枠内の時刻でもよい。例えば、予約時間枠が午前１０時から１０時３０分（予約時刻が午前１０時）である場合、午前１０時の１時間前、あるいは３０前でもよく、午前１０時から１０時３０分までの任意の時刻でもよい。
【０１３８】
また、表示制御部３７は、入力部３４で受診待ち情報の入力又は選択を受け付けていない場合、すなわち、サーバ５０から要求情報を取得した場合、予約時間枠の直前又は当該予約時間枠内の所要の時点で受診待ち情報の入力又は選択を促す促進情報を表示することができる。促進情報としては、例えば、図２０に示すチェックイン画面３０３を用いることができる。これにより、予約時間枠内で遠隔診療を行う対象患者の人数が当初の予約時の人数よりも減少することを抑制し、多忙な医師が時間を無駄にすることを防止することができる。
【０１３９】
図２３は本実施の形態の対象者端末装置３０の表示画面３１に表示されるＴＶ電話画面３０５の一例を示す模式図である。遠隔診療用アプリケーションは、遠隔診療に使用する動画再生機能を含み、図２３に示すようなＴＶ電話画面３０５を表示することができる。同様のＴＶ電話画面は、医師端末装置１０の表示画面１１でも表示することができる。
【０１４０】
表示制御部３７は、ＴＶ電話処理部３９とともに遠隔診療を行う医師の医師端末装置１０との間で行われる遠隔診療に関する動画を表示する。また、表示制御部１６は、ＴＶ電話処理部１７とともに遠隔診療の対象患者の対象者端末装置３０との間で行われる遠隔診療に関する動画を表示する。これにより、通院の場合と同等の医師の診療を受けることができる。
【０１４１】
図２４は本実施の形態の医師端末装置１０の表示画面１１に表示される所見入力画面の一例を示す模式図である。表示制御部１６は、所見入力画面を表示する。図２４に示すように、所見入力画面には、患者情報領域１１０、データ領域１１１、所見入力領域１１２、処方選択領域１１３などが表示される。
【０１４２】
患者情報領域１１０には、患者名、診療日などが表示される。データ領域１１１には、ヘルスデータ、検査データなどが表示される。ヘルスデータは、当該患者の性別、年齢、身長、体重、歩数データなどの情報を含めることができる。また、検査データには、血液検査の結果などを含めることができる。なお、患者情報領域１１０、データ領域１１１に表示される情報は、遠隔診療を行う前にサーバ５０から取得することができる。
【０１４３】
所見入力領域１１２には、対象患者に対する遠隔診療（例えば、ＴＶ電話、あるいは一般的な通話による診療、問診でもよい）を行った結果、当該対象患者に対する治療方針を医師所見として入力することができる。図２４の例では、医師所見として「高血圧対策をお願いします」と入力されている。医師所見は、遠隔診療に続く、改善指導スタッフによる遠隔改善指導の指針となる情報である。なお、図２４の例では、医師所見として「高血圧対策をお願いします」との文言を図示しているが、医師所見は図２４の例に限定されるものではない。例えば、食事に関する対策、運動に関する対策、喫煙又は飲酒に関する対策などであってもよい。
【０１４４】
医師は、遠隔診療が可能と判断された対象患者に関する情報（例えば、身長、体重、歩数などのヘルスデータ、血液検査などの検査データ等）に基づき遠隔診療を行い、遠隔診療の結果に基づく治療方針を示す医師所見を医師端末装置１０から入力することができる。通信部１３は、当該医師所見をサーバ５０に出力することができる。
【０１４５】
処方選択領域１１３には、院内処方を選択するか、薬局処方を選択するか受け付ける受付画面が表示される。これにより、遠隔診療を受ける際に、医師が対象患者から院内処方を選択したいという希望を聞き取った場合、医師は、院内処方を選択する選択情報を医師端末装置１０から入力することができる。院内処方が選択されると、処方薬を対象患者の自宅等に配送する処理を行うことができる。
【０１４６】
通信部１３は、入力部１４を介して医師所見が入力されると、入力された医師所見をサーバ５０に出力する。
【０１４７】
第１通信部５２は、受信部としての機能を有し、初回診療により遠隔診療が可能と判断された場合、対象患者と医師との間で行われる遠隔診療に基づく医師所見を医師端末装置１０から受信する。初回診療は、対象患者との間で対面によって行われ、初回診療は、遠隔診療を行う医師でもよく、遠隔診療を行わない医師でもよく、あるいは産業医でもよい。これにより、遠隔診療に適する患者を抽出することができ、遠隔診療に向かない患者を除外することが可能となる。
【０１４８】
より具体的には、第１通信部５２は、産業医又は産業医以外の医師による初回診療の後に、対象患者と医師との間で行われる再診に係る遠隔診療に基づく医師所見を医師端末装置１０から受信する。
【０１４９】
第２通信部５３は、第１通信部５２で取得した医師所見を、指導者端末装置２０に出力する。なお、医師所見の出力は、指導者端末装置２０からの要求（アクセスなど）に応じて行うことができる。
【０１５０】
図２５は本実施の形態の指導者端末装置２０の表示画面２１に表示されるチャットメッセージ画面の一例を示す模式図である。図２５に示すように、患者一覧領域２０１には、対象患者が他の患者と区別可能な態様で表示される。図２５の例では、対象患者の氏名が太字、かつ枠で囲まれて表示されている。また、医師所見領域２０２には、患者情報として、医師からの指示（Ｐ）：「高血圧対策をお願いします。」（医師所見）の他に、前回診療日、次回診療日（図２５の例では、未予約）などが表示される。また、医師所見領域２０２には、ヘルスデータ、血液検査などの検査データを表示することができる。
【０１５１】
チャット領域２０３には、改善指導スタッフ（図２５の例では、管理栄養士）と対象患者（図２５の例では、大日本太郎）との間で送受信されたチャットメッセージが表示される。また、チャット領域２０３には、対象患者が自ら取得したバイタルデータ（図２５の例では、対象者端末装置３０が具備するカメラで撮影した歩数計及び血圧計の表示値）を表示することができる。なお、改善指導スタッフは栄養管理士に限定されない。
【０１５２】
図２５の例では、５月２日の１０：００から５月２日の１８：３０までの間に送受信された指導内容に関するメッセージ及び改善活動に関するメッセージが表示されている。
【０１５３】
図２６は本実施の形態の対象者端末装置３０の表示画面３１に表示される改善支援メッセージ画面３０６の一例を示す模式図である。改善支援メッセージ画面３０６に表示されているメッセージは、チャット領域２０３に表示されているメッセージと同じものである。
【０１５４】
図２７は本実施の形態の医師端末装置１０の表示画面１１に表示される改善指導報告画面の一例を示す模式図である。患者一覧領域１２１は、患者一覧領域２０１と同様であり、医師所見領域１２２は、医師所見領域２０２と同様である。また、チャット領域１２３には、５月１４日の１０：００から５月２８日の１０：００までのメッセージが表示されているが、画面をスクロールすることにより、チャット領域１２３に表示されていないメッセージを表示することができる。
【０１５５】
図２７に示すように、指導報告領域１２４には、栄養管理士又は改善指導スタッフが作成する改善指導報告が表示される。改善指導報告は、遠隔改善指導に応じて対象患者が実際に行った改善活動の結果に基づく改善指導結果を医師に報告するものである。図２７の例では、「今月は運動指導による改善に取り組みました。意欲も高く、血圧値を見ながら継続して支援していきます。」の如く改善指導報告が表示されている。
【０１５６】
表示制御部２６は、対象者端末装置３０との間で行われる、医師所見に基づく遠隔改善指導に関するメッセージを表示し、遠隔改善指導に係る改善指導報告を受け付ける受付画面を表示する。受付画面は、図２７に示す指導報告領域１２４と同様なものとすることができる。すなわち、改善指導スタッフは、指導内容に応じて対象患者が実際に行った改善活動の結果に基づいて改善指導結果を示す改善指導報告を指導者端末装置２０から入力することができる。
【０１５７】
上述の構成により、改善指導スタッフによる改善指導、対象患者が行った改善活動などを文字等のメッセージで交換することができ、場所や時間に制限されることなく改善指導スタッフと対象患者との間のコミュニケーションを図ることができる。また、医師所見に基づいて対象患者に対して行われた改善指導の結果を改善指導報告という形式で纏めて医師に提供することができるので、対象患者に関する種々のデータを閲覧する医師の手間が省け、医師の負担を軽減することができる。
【０１５８】
なお、図２７において、チャット領域１２３の表示は必須ではない。医師は、指導報告領域１２４の改善指導報告を見れば十分である。医師が遠隔改善指導の具体的な内容を確認した場合にだけチャット領域１２３を表示するようにすればよい。
【０１５９】
第２通信部５３は、指導者端末装置２０から改善指導報告を取得する。
【０１６０】
第１通信部５２は、提供部としての機能を有し、取得した改善指導報告を医師端末装置１０へ提供する。
【０１６１】
上述の構成により、遠隔診療に適した対象患者に対して医師による遠隔診療を行うことができる。また、医師所見に基づく改善指導を遠隔で行うので、遠隔改善指導を適宜行うことが容易になり、対象患者の症状又は改善活動実績に応じて遠隔改善指導の頻度を多くすることもでき、対象患者の症状を改善することができる。また、医師所見に基づいて行われた改善指導の結果を改善指導報告という形式で纏めて医師に提供することができるので、対象患者に関する種々のデータを閲覧する医師の手間が省け、医師の負担を軽減することができる。
【０１６２】
また、第１通信部５２は、産業医が行う対象患者に対する対面面談に基づく初回診療により遠隔診療が可能と判断された場合、医師所見を受信してもよい。産業医は、例えば、事業場において労働者の健康管理等について、専門的な立場から指導・助言を行う医師である。地方に存在する事業場の場合、近隣に遠隔診療を行うクリニックを用意することが実質的に困難である。そこで、地方の事業場において、労働者の健康管理等を行う産業医による対象患者との対面面談を遠隔診療のための対面で行われる診療（初回診療）として利用することにより、地方の事業場で働く対象患者でも遠隔診療を受けることが可能となる。
【０１６３】
また、第１通信部５２は、産業医以外の医師が行う対象患者に対する対面診療に基づく初回診療により遠隔診療が可能と判断された場合、医師所見を受信してもよい。産業医以外の医師は、例えば、都市部の事業場の近隣に存在する社内診療所の医師、大学病院の医師（勤務医）又は近隣のクリニックの医師（開業医）などを含む。産業医以外の医師による対象患者との対面診療を遠隔診療のための対面診療（初回診療）として利用することにより、都市部の事業場において、遠隔診療に参加しにくい対象患者でも遠隔診療を受けることが可能となる。なお、産業医以外の医師は、遠隔診療を行う医師でもよい。
【０１６４】
上述の構成により、対象患者が都市部で働く者であるか地方で働く者であるかに関わらず、公平で均質な遠隔診療及び遠隔改善指導を受けることが可能となる。
【０１６５】
また、第１通信部５２は、対象患者と医師との間で行われた遠隔診療から、次に実施される遠隔診療までの間に、遠隔改善指導に係る改善指導報告を医師端末装置１０に提供することができる。例えば、医師による遠隔診療が１か月に１回の頻度で行われる場合、今回の遠隔診療と次回の遠隔診療との間の１か月間に改善指導スタッフによる遠隔改善指導が行われ、次回の遠隔診療までの改善指導の改善指導報告を医師に提供することができる。なお、当該１か月間の遠隔改善指導は、対象患者の症状又は改善状況などに応じて複数回でもよく、症状等が良好になるに応じて頻度を少なくしてもよい。
【０１６６】
遠隔診療の中で医師から血液検査の指示が出る場合がある。そのような場合、病院や診療所に行って血液検査をしてもらう代わりに、血液検査キットを自宅に郵送してもらい、対象患者が自ら自己採血方式の血液検査を行うことができる。本実施の形態の遠隔診療用アプリケーションは、対象患者が行う自己採血方式の血液検査方法を提供する機能を含む。
【０１６７】
図２８は本実施の形態の対象者端末装置３０の表示画面３１に表示される血液検査キット取扱説明画面３１０の一例を示す模式図である。血液検査キット取扱説明画面３１０には、例えば、血液検査キット取扱説明動画を表示する領域３１１、血液検査キットの取り扱い方法を文章や図表等で表示する領域３１２などを含めることができる。領域３１２には、例えば、血液検査方法の手順を順番に説明した文書等が表示される。これにより、対象患者は、遠隔診療に採血が必要な場合でも、自ら採血を行うことができ、病院又は診療所などに通院する必要がない。
【０１６８】
図２９は本実施の形態の対象者端末装置３０の表示画面３１に表示される処方選択画面３１３の一例を示す模式図である。図２９に示すように、対象患者は、薬局処方か院内処方かのいずれかを選択することができる。
【０１６９】
表示制御部３７は、院内処方を選択するか否かを受け付ける処方選択画面３１３（受付画面）を表示する。通信部３３は、院内処方が選択された場合、選択情報をサーバ５０に出力する。遠隔診療を受ける際に、対象患者が自ら院内処方を選択することができる。院内処方が選択されると、処方薬を対象患者の自宅等に配送する処理を行うことができる。
【０１７０】
次に、遠隔診療支援サービスにより対象患者等の医療費を低減することができる点について説明する。
【０１７１】
図３０は本実施の形態の遠隔診療支援システムにより削減可能な医療費項目の一例を示す説明図である。通院及び薬局処方を遠隔診療及び院内処方に切り替えることにより、診療明細及び薬局明細の各項目のうち、対象患者に該当する項目に対する医療費を削減することが可能となる。診療明細には、例えば、外来管理加算、外来診療費など図に示す項目がある。また、薬局明細には、例えば、調剤基本料、夜間・休日等加算など図に示す項目がある。
【０１７２】
図３１は本実施の形態の遠隔診療支援システムにより医療費の削減額の一例を示す説明図である。なお、図３１の例は、糖尿病患者の一例であり、対象患者の疾患等に応じて削減額は異なる。通院及び薬局処方の場合、通院者の医療費は、１４、８４０円である。仮に遠隔診療及び院内処方に切り替えると、医療費は６、４３０円となり、８、４１０円だけ医療費を削減することができる。この場合、対象患者は、医療費の３０％が自己負担となるので、対象患者にとっては約２、５２０円の医療費の削減効果があり、企業（健保）にとっては、約５、８９０円の医療費の削減効果がある。
【０１７３】
図３２は本実施の形態の遠隔診療支援サービスでのお金の流れの一例を示す模式図である。決定部６２は、所定の口座からの引き落し額、及び所定の口座への入金額を決定する。例えば、遠隔診療支援事業者（決定部６２）は、企業（健保）の口座から産業医又は診療所医の契約料を引き落とし、紹介料を差し引いた残りの金額を契約給与として産業医又は診療所医の口座に入金する際の当該契約料、紹介料、契約給与などを決定することができる。
【０１７４】
遠隔診療支援事業者（決定部６２）は、対象患者の口座から医療費を引き落し、決済代行手数料（所定額）を差し引いた残額を医療費（患者分）として医師の口座へ入金する際の当該決済代行手数料（所定額）を決定することができる。なお、対象患者は、遠隔診療を受ける際、予め医療費の引落口座を決定しておく（例えば、クレジットカードの登録によって口座を決定しておくことができる）。遠隔診療に係る医療費を対象患者の口座から引き落して医師の口座に入金処理する際に所定額を決済代行手数料として差し引くことができる。これにより、対象患者は医療費の支払いの手間を省くことができる。また、遠隔診療を受けることにより、通院固有の診療明細に係る自己負担が不要となる可能性があり、対象患者にとっては自己負担額を軽減することができる。
【０１７５】
企業は医師に対して支払基金（月）を医療費（健保分）として支払う。
【０１７６】
遠隔診療支援事業者（決定部６２）は、対象患者の口座から遠隔診療用アプリケーションに係るアプリ利用料（月）を引き落す際の当該アプリ利用料を決定することができる。また、対象患者が、血液検査キットを購入した場合、遠隔診療支援事業者（決定部６２）は、対象患者の口座から検査キット料金を引き落す際の当該検査キット料金を決定することができる。
【０１７７】
遠隔診療支援事業者（決定部６２）は、企業の口座から、遠隔診療支援サービスのサービス利用料（月）を引き落す際の当該サービス利用料を決定することができる。また、遠隔診療支援事業者（決定部６２）は、サーバ５０へのアクセスに基づくシステム利用料（基本料金）及び遠隔診療の回数に応じたデータベース利用料（遠隔診療料金）を医師の口座から引き落す際の当該システム利用料及びデータベース利用料を決定することができる。システム利用料は、遠隔診療に係るシステムの使用料であり、月額いくらとすることができる。データベース利用料は、遠隔診療支援システムのデータベース使用料であり、遠隔診療の回数に応じた従量性とすることができる。上述の構成により、システム利用料及びデータベース利用料を医師の口座から引き落すようにすることで、医師は遠隔診療支援システムを利用することができる。なお、所定の口座からの引き落し処理、及び所定の口座への入金処理は、サーバ５０とは別の決済サーバ（不図示）を用いて行うことができるが、サーバ５０に決済処理機能を含めることもできる。
【０１７８】
次に、本実施の形態のサーバ５０、対象者端末装置３０、医師端末装置１０及び指導者端末装置２０の処理について説明する。
【０１７９】
図３３及び図３４は本実施の形態のサーバ５０の処理手順の一例を示すフローチャートである。サーバ５０は、対象患者情報を取得する（Ｓ５１１）。対象患者情報は、レセプト分析サーバ７０から取得してもよく、あるいは他のサーバ（不図示）等から取得してもよい。サーバ５０は、遠隔診療案内データを出力する（Ｓ５１２）。出力された対象患者情報に基づいて、図１６に例示したような案内文書を作成することができる。
【０１８０】
サーバ５０は、遠隔診療用アプリケーションを対象患者の対象者端末装置３０に配信する（Ｓ５１３）。サーバ５０は、初回診療に係る情報を取得し（Ｓ５１４）、遠隔診療の可情報（遠隔診療を許可する旨の情報）を取得したか否かを判定する（Ｓ５１５）。なお、遠隔診療の可情報は、初回診療に係る情報に含めることができる。
【０１８１】
遠隔診療の可情報を取得した場合（Ｓ５１５でＹＥＳ）、対象患者は、遠隔診療に適しているので、遠隔診療用アプリケーションを使用して遠隔診療を予約することができる。サーバ５０は、遠隔診療の予約日時を対象者端末装置３０から取得し（Ｓ５１６）、予約日時よりも所定時間前の時点で予約ありの通知情報を対象者端末装置３０に送信する（Ｓ５１７）。
【０１８２】
サーバ５０は、受診待ち情報（チェックイン）を取得したか否かを判定し（Ｓ５１８）、受診待ち情報を取得していない場合（Ｓ５１８でＮＯ）、受診待ち情報の入力を要求する要求情報を対象者端末装置３０に送信する（Ｓ５１９）。サーバ５０は、予約時間枠を経過したか否かを判定し（Ｓ５２０）、予約時間枠を経過していない場合（Ｓ５２０でＮＯ）、ステップＳ５１８以降の処理を行う。
【０１８３】
遠隔診療の可情報を取得していない場合（Ｓ５１５でＮＯ）、あるいは予約時間枠を経過した場合（Ｓ５２０でＹＥＳ）、サーバ５０は、後述のステップＳ５２６の処理を行う。受診待ち情報を取得した場合（Ｓ５１８でＹＥＳ）、サーバ５０は、医師端末装置１０から医師所見を取得し（Ｓ５２１）、取得した医師所見を指導者端末装置２０に出力する（Ｓ５２２）。なお、医師所見を指導者端末装置２０に出力するタイミングは、指導者端末装置２０からアクセス（要求）があったときでよい。
【０１８４】
サーバ５０は、対象患者（対象者端末装置３０）と改善指導スタッフ（指導者端末装置２０）との間のメッセージ交換処理を実行する（Ｓ５２３）。サーバ５０は、指導者端末装置２０から改善指導報告を取得し（Ｓ５２４）、取得した改善指導報告を医師端末装置１０に出力する（Ｓ５２５）。なお、改善指導報告を医師端末装置１０に出力するタイミングは、医師端末装置１０からアクセス（要求）があったときでよい。
【０１８５】
サーバ５０は、他の対象患者の有無を判定し（Ｓ５２６）、他の対象患者がある場合（Ｓ５２６でＹＥＳ）、ステップＳ５１４以降の処理を続ける。他の対象患者がない場合（Ｓ５２６でＮＯ）、サーバ５０は、対象患者の口座から引き落す遠隔診療に係る医療費を決定し（Ｓ５２７）、医療費から控除する所定額（決済代行手数料）を決定する（Ｓ５２８）。サーバ５０は、医師の口座から引き落すシステム利用料、データベース利用料を決定し（Ｓ５２９）、処理を終了する。
【０１８６】
サーバ５０の決定部６２が決定した料金等は、不図示の決済サーバに出力され、当該決済サーバが実際の引き落し処理、入金処理を所定の決済日に行うことができる。
【０１８７】
図３５及び図３６は本実施の形態の対象者端末装置３０の処理手順の一例を示すフローチャートである。対象者端末装置３０には、遠隔診療用アプリケーションがインストールされている。対象者端末装置３０は、遠隔診療支援サービスのログインを受け付ける（Ｓ３１１）。対象者端末装置３０は、保険証登録を受け付け（Ｓ３１２）、クレジットカードの登録を受け付ける（Ｓ３１３）。
【０１８８】
対象者端末装置３０は、遠隔診療の予約を受け付け（Ｓ３１４）、血液検査結果の登録を受け付ける（Ｓ３１５）。血液検査結果の登録は、血液検査結果の内容を、例えば、対象者端末装置３０が具備するカメラで撮影して得られた画像を登録すればよい。また、ステップＳ３１５の処理は、対象患者が血液検査を行っていない場合には不要である。
【０１８９】
対象者端末装置３０は、サーバ５０から送信された、予約ありの通知情報を表示し（Ｓ３１６）、対象患者が受診待ち情報の入力を済ましていない場合、受診待ち情報の入力を促す促進情報（例えば、チェックイン画面３０３）を表示する（Ｓ３１７）。対象者端末装置３０は、受診待ち情報（チェックイン）を受け付け（Ｓ３１８）、遠隔診療が開始されたか否かを判定する（Ｓ３１９）。遠隔診療が開始されていない場合（Ｓ３１９でＮＯ）、対象者端末装置３０は、ステップＳ３１９の処理を続ける。
【０１９０】
遠隔診療が開始された場合（Ｓ３１９でＹＥＳ）、対象者端末装置３０は、医師（医師端末装置１０）とのＴＶ電話処理を実行する（Ｓ３２０）。対象者端末装置３０は、遠隔診療が終了したか否かを判定し（Ｓ３２１）、遠隔診療が終了していない場合（Ｓ３２１でＮＯ）、ステップＳ３２０の処理を続ける。
【０１９１】
遠隔診療が終了した場合（Ｓ３２１でＹＥＳ）、対象者端末装置３０は、遠隔改善指導が開始されたか否かを判定する（Ｓ３２２）。遠隔改善指導が開始されていない場合（Ｓ３２２でＮＯ）、対象者端末装置３０は、ステップＳ３２２の処理を続ける。遠隔改善指導が開始された場合（Ｓ３２２でＹＥＳ）、対象者端末装置３０は、改善指導スタッフ（指導者端末装置２０）とのメッセージ交換処理を実行する（Ｓ３２３）。
【０１９２】
対象者端末装置３０は、改善指導が終了したか否かを判定し（Ｓ３２４）、改善指導が終了していない場合（Ｓ３２４でＮＯ）、ステップＳ３２３の処理を行う。改善指導が終了した場合（Ｓ３２４でＹＥＳ）、対象者端末装置３０は、処理を終了する。
【０１９３】
図３７は本実施の形態の医師端末装置１０の処理手順の一例を示すフローチャートである。医師端末装置１０は、医師の操作により、予約時間枠の対象患者リストを表示し（Ｓ１１１）、医師の操作により、対象患者の診療情報、改善指導報告を表示する（Ｓ１１２）。医師端末装置１０は、遠隔診療が開始されたか否かを判定し（Ｓ１１３）、遠隔診療が開始されていない場合（Ｓ１１３でＮＯ）、ステップＳ１１３の処理を続ける。
【０１９４】
遠隔診療が開始された場合（Ｓ１１３でＹＥＳ）、医師端末装置１０は、対象患者（対象者端末装置３０）とのＴＶ電話処理を実行する（Ｓ１１４）。医師端末装置１０は、遠隔診療が終了したか否かを判定し（Ｓ１１５）、遠隔診療が終了していない場合（Ｓ１１５でＮＯ）、ステップＳ１１４の処理を続ける。
【０１９５】
遠隔診療が終了した場合（Ｓ１１５でＹＥＳ）、医師端末装置１０は、医師所見を受け付け（Ｓ１１６）、受け付けた医師所見をサーバ５０に出力する（Ｓ１１７）。医師端末装置１０は、指導者端末装置２０から改善指導報告を取得し（Ｓ１１８）、処理を終了する。なお、取得した改善指導報告は、次の遠隔診療の際に参考にされる。
【０１９６】
図３８は本実施の形態の指導者端末装置２０の処理手順の一例を示すフローチャートである。指導者端末装置２０は、改善指導スタッフの操作により、対象患者に関する情報、医師所見を表示する（Ｓ２１１）。指導者端末装置２０は、遠隔改善指導が開始されたか否かを判定し（Ｓ２１２）、遠隔改善指導が開始されていない場合（Ｓ２１２でＮＯ）、ステップＳ２１２の処理を続ける。
【０１９７】
遠隔改善指導が開始された場合（Ｓ２１２でＹＥＳ）、指導者端末装置２０は、対象患者（対象者端末装置３０）とのメッセージ交換処理を実行する（Ｓ２１３）。指導者端末装置２０は、遠隔改善指導が終了したか否かを判定し（Ｓ２１４）、遠隔改善指導が終了していない場合（Ｓ２１４でＮＯ）、ステップＳ２１４の処理を続ける。
【０１９８】
遠隔改善指導が終了した場合（Ｓ２１４でＹＥＳ）、指導者端末装置２０は、改善指導報告を受け付け（Ｓ２１５）、受け付けた改善指導報告をサーバ５０に出力し（Ｓ２１６）、処理を終了する。
【０１９９】
上述の実施の形態の第１実施例では、図４に例示したように、対面面談又は対面診療（プロセスＰ４）を行う前に遠隔診療用アプリケーションを対象患者の対象者端末装置３０に提供（配信）する構成であったが、これに限定されない。
【０２００】
図３９は本実施の形態の遠隔診療支援サービスの第２実施例のプロセスを示す説明図である。第２実施例では、プロセスＰ２１において、健診、レセプト分析により対象患者を抽出した後、プロセスＰ２２で初診予約を行い、プロセスＰ２３で対面面談又は対面診療を行って、対象患者が遠隔診療に適しているか否かを判断する。そして、その後に、プロセスＰ２４において、遠隔診療用アプリケーションが提供される。
【０２０１】
これにより、遠隔診療用アプリケーションを提供する前に、遠隔診療に適している対象患者を特定することができるので、遠隔診療に適している対象患者だけに遠隔診療用アプリケーションを送信することができる。
【０２０２】
なお、図３９におけるプロセスＰ２５からＰ３１は、図４におけるプロセスＰ５からＰ１１と同様であるので説明は省略する。
【０２０３】
図４０は本実施の形態の遠隔診療支援サービスの第３実施例のプロセスを示す説明図である。図４に例示した第１実施例との違いは、第３実施例では、健診、レセプト分析により対象患者を抽出するプロセスがない。なお、図４０におけるプロセスＰ４１からＰ５０は、図４におけるプロセスＰ２からＰ１１と同様であるので説明は省略する。
【０２０４】
図４１は本実施の形態の遠隔診療支援サービスの第４実施例のプロセスを示す説明図である。図３９に例示した第２実施例との違いは、第４実施例では、健診、レセプト分析により対象患者を抽出するプロセスがない。なお、図４１におけるプロセスＰ７１からＰ８０は、図３９におけるプロセスＰ２２からＰ３１と同様であるので説明は省略する。
【０２０５】
第３実施例及び第４実施例では、健診、レセプト分析を用いて、企業職員の中から対象患者を抽出する処理を行わない。すなわち、企業職員の中から対象患者を抽出する処理を実施しなくても、本実施の形態の遠隔診療支援サービスを実施することができる。
【０２０６】
上述のように、本実施の形態によれば、都市部の企業で働く従業員が、参加しやすく継続しやすい利便性の高い遠隔診療を提供することができる。また、本来治療が必要とされる未通院者のうち、産業医や診療所医の目で判断して遠隔診療に適した患者だけを遠隔診療に参加するように促すことができる。また、遠隔診療に向く症状かどうかを正しく事前に適性判断することができる。また、地方にある事業所でも、近隣に遠隔診療クリニックを用意することなく遠隔診療を提供することができる。
【０２０７】
本実施の形態に係る支援装置は、遠隔診療を支援する支援装置であって、初回診療により遠隔診療が可能と判断された場合、遠隔診療対象者と医師との間で行われる遠隔診療に基づく医師所見を医師の医師端末装置から受信する受信部と、該受信部で受信した医師所見に基づいて前記遠隔診療対象者と改善指導を行う指導者との間で行われる遠隔改善指導に係る改善指導報告を前記医師端末装置へ提供する提供部とを備える。
【０２０８】
本実施の形態に係るコンピュータプログラムは、コンピュータに、遠隔診療の支援を実行させるためコンピュータプログラムであって、コンピュータに、初回診療により遠隔診療が可能と判断された場合、遠隔診療対象者と医師との間で行われる遠隔診療に基づく医師所見を医師の医師端末装置から受信する処理と、受信した医師所見に基づいて前記遠隔診療対象者と改善指導を行う指導者との間で行われる遠隔改善指導に係る改善指導報告を前記医師端末装置へ提供する処理とを実行させる。
【０２０９】
本実施の形態に係る支援方法は、遠隔診療を支援する支援方法であって、初回診療により遠隔診療が可能と判断された場合、遠隔診療対象者と医師との間で行われる遠隔診療に基づく医師所見を医師の医師端末装置から受信し、受信された医師所見に基づいて前記遠隔診療対象者と改善指導を行う指導者との間で行われる遠隔改善指導に係る改善指導報告を前記医師端末装置へ提供する。
【０２１０】
支援装置の受信部は、初回診療により遠隔診療が可能と判断された場合、遠隔診療対象者（対象患者）と医師との間で行われる遠隔診療に基づく医師所見を医師の医師端末装置から受信する。初回診療は、遠隔診療対象者との間で対面によって行われ、初回診療は、遠隔診療を行う医師でもよく、遠隔診療を行わない医師でもよく、あるいは産業医でもよい。これにより、遠隔診療に適する患者を抽出することができ、遠隔診療に向かない患者を除外することが可能となる。
【０２１１】
医師は、遠隔診療が可能と判断された遠隔診療対象者に関する情報（例えば、身長、体重、歩数などのヘルスデータ、血液検査などの検査データ等）に基づき遠隔診療対象者の遠隔診療を行い、遠隔診療の結果に基づく治療方針を示す医師所見を医師端末装置から入力することができる。医師端末装置は、当該医師所見を支援装置に出力することができる。
【０２１２】
支援装置の提供部は、受信部で受信した医師所見に基づいて遠隔診療対象者と改善指導を行う指導者との間で行われる遠隔改善指導に係る改善指導報告を医師端末装置へ提供する。改善指導は、遠隔診療対象者の生活習慣を改善するための具体的な行動指針、アドバイスなどを含む。指導者は、指導内容に応じて遠隔診療対象者が実際に行った改善活動の結果に基づいて指導結果を示す改善指導報告を指導者端末装置から入力することができる。指導者端末装置は、当該改善指導報告を支援装置に出力することができる。支援装置は、指導者端末装置から取得した改善指導報告を医師端末装置へ提供する。
【０２１３】
上述の構成により、遠隔診療に適した遠隔診療対象者に対して医師による遠隔診療を行うことができる。また、医師所見に基づく改善指導を遠隔で行うので、遠隔改善指導を適宜行うことが容易になり、遠隔診療対象者の症状又は改善活動実績に応じて遠隔改善指導の頻度を多くすることもでき、遠隔診療対象者の症状を改善することができる。また、医師所見に基づいて遠隔診療対象者に対して行われた改善指導の結果を改善指導報告という形式で纏めて医師に提供することができるので、遠隔診療対象者に関する種々のデータを閲覧する医師の手間が省け、医師の負担を軽減することができる。
【０２１４】
本実施の形態に係る支援装置において、前記受信部は、産業医が行う前記遠隔診療対象者に対する対面面談に基づく初回診療により遠隔診療が可能と判断された場合、前記医師所見を受信する。
【０２１５】
本実施の形態に係る支援方法は、産業医が行う前記遠隔診療対象者に対する対面面談に基づく初回診療により遠隔診療が可能と判断された場合、前記医師所見を受信する。
【０２１６】
受信部は、産業医が行う遠隔診療対象者に対する対面面談に基づく初回診療により遠隔診療が可能と判断された場合、医師所見を受信する。産業医は、例えば、事業場において労働者の健康管理等について、専門的な立場から指導・助言を行う医師である。地方に存在する事業場の場合、近隣に遠隔診療を行うクリニックを用意することが実質的に困難である。そこで、地方の事業場において、労働者の健康管理等を行う産業医による遠隔診療対象者との対面面談を遠隔診療のための対面で行われる診療（初回診療）として利用することにより、地方の事業場で働く遠隔診療対象者でも遠隔診療を受けることが可能となる。
【０２１７】
本実施の形態に係る支援装置において、前記受信部は、産業医以外の医師が行う前記遠隔診療対象者に対する対面診療に基づく初回診療により遠隔診療が可能と判断された場合、前記医師所見を受信する。
【０２１８】
本実施の形態に係る支援方法は、産業医以外の医師が行う前記遠隔診療対象者に対する対面診療に基づく初回診療により遠隔診療が可能と判断された場合、前記医師所見を受信する。
【０２１９】
受信部は、産業医以外の医師が行う遠隔診療対象者に対する対面診療に基づく初回診療により遠隔診療が可能と判断された場合、医師所見を受信する。産業医以外の医師は、例えば、都市部の事業場の近隣に存在する社内診療所の医師、大学病院の医師（勤務医）又は近隣のクリニックの医師（開業医）などを含む。産業医以外の医師による遠隔診療対象者との対面診療を遠隔診療のための対面で行われる診療（初回診療）として利用することにより、都市部の事業場において、遠隔診療に参加しにくい遠隔診療対象者でも遠隔診療を受けることが可能となる。なお、産業医以外の医師は、遠隔診療を行う医師でもよい。
【０２２０】
本実施の形態に係る支援装置において、前記受信部は、前記初回診療後に、前記遠隔診療対象者と前記医師との間で行われる再診に係る遠隔診療に基づく医師所見を受信し、前記提供部は、該受信部で受信した医師所見に基づいて前記遠隔診療対象者と前記指導者との間で行われる遠隔改善指導に係る改善指導報告を前記医師端末装置へ提供する。
【０２２１】
本実施の形態に係る支援方法は、前記遠隔診療対象者と前記医師との間で行われる、前記初回診療後の再診に係る遠隔診療に基づく医師所見を受信し、受信された医師所見に基づいて前記遠隔診療対象者と前記指導者との間で行われる遠隔改善指導に係る改善指導報告を前記医師端末装置へ提供する。
【０２２２】
受信部は、産業医又は産業医以外の医師による初回診療の後に、遠隔診療対象者と医師との間で行われる再診に係る遠隔診療に基づく医師所見を受信する。
【０２２３】
提供部は、受信部で受信した医師所見に基づいて遠隔診療対象者と指導者との間で行われる遠隔改善指導に係る改善指導報告を医師端末装置へ提供する。上述の構成により、遠隔診療対象者が都市部で働く者であるか地方で働く者であるかに関わらず、公平で均質な遠隔診療及び遠隔改善指導を受けることが可能となる。
【０２２４】
本実施の形態に係る支援装置は、前記遠隔診療対象者に対する遠隔診療の可否情報を取得する取得部と、該取得部で遠隔診療の可情報を取得した場合、可情報に係る遠隔診療対象者の対象者端末装置へ遠隔診療用アプリケーションを送信するアプリケーション送信部とを備え、前記受信部は、前記遠隔診療用アプリケーションを用いて前記遠隔診療対象者と前記医師との間で行われる遠隔診療に基づく医師所見を受信し、前記提供部は、前記遠隔診療用アプリケーションを用いて前記遠隔診療対象者と前記指導者との間で行われる遠隔改善指導に係る改善指導報告を前記医師端末装置へ提供する。
【０２２５】
本実施の形態に係る支援方法は、前記遠隔診療対象者に対する遠隔診療の可否情報を取得し、前記遠隔診療の可情報が取得された場合、可情報に係る遠隔診療対象者の対象者端末装置へ遠隔診療用アプリケーションを送信し、前記遠隔診療用アプリケーションを用いて前記遠隔診療対象者と前記医師との間で行われる遠隔診療に基づく医師所見を受信し、前記遠隔診療用アプリケーションを用いて前記遠隔診療対象者と前記指導者との間で行われる遠隔改善指導に係る改善指導報告を前記医師端末装置へ提供する。
【０２２６】
支援装置の取得部は、遠隔診療対象者に対する遠隔診療の可否情報を取得する。可否情報は、遠隔診療対象者が遠隔診療に適しているか否かを示す情報である。可否情報は、例えば、医師端末装置から取得することができるが、医師端末装置に限定されない。
【０２２７】
支援装置のアプリケーション送信部は、遠隔診療の可情報を取得した場合、可情報に係る遠隔診療対象者の対象者端末装置へ遠隔診療用アプリケーションを送信する。可情報は、遠隔診療対象者が遠隔診療に適していることを示す情報である。これにより、遠隔診療用アプリケーションを送信する前に、遠隔診療に適している遠隔診療対象者を特定することができるので、遠隔診療に適している遠隔診療対象者だけに遠隔診療用アプリケーションを送信することができる。
【０２２８】
受信部は、遠隔診療用アプリケーションを用いて遠隔診療対象者と医師との間で行われる遠隔診療に基づく医師所見を受信する。遠隔診療用アプリケーションを用いた遠隔診療は、例えば、ＴＶ電話とすることができる。
【０２２９】
提供部は、遠隔診療用アプリケーションを用いて遠隔診療対象者と指導者との間で行われる遠隔改善指導に係る改善指導報告を医師端末装置へ提供する。遠隔診療用アプリケーションを用いた遠隔改善指導は、例えば、チャットメッセージを交換することができる。
【０２３０】
上述の構成により、遠隔であっても、通院の場合と同等の診療サービス及び改善指導サービスを受けることができる。また、時間や場所を選ばずに診療サービス及び改善指導サービスを受けることができる。
【０２３１】
本実施の形態に係る支援装置は、前記遠隔診療対象者の対象者端末装置へ遠隔診療用アプリケーションを送信するアプリケーション送信部を備え、前記受信部は、前記遠隔診療用アプリケーションを用いて前記遠隔診療対象者と前記医師との間で行われる遠隔診療に基づく医師所見を受信し、前記提供部は、前記遠隔診療用アプリケーションを用いて前記遠隔診療対象者と前記指導者との間で行われる遠隔改善指導に係る改善指導報告を前記医師端末装置へ提供する。
【０２３２】
本実施の形態に係る支援方法は、前記遠隔診療対象者の対象者端末装置へ遠隔診療用アプリケーションを送信し、前記遠隔診療用アプリケーションを用いて前記遠隔診療対象者と前記医師との間で行われる遠隔診療に基づく医師所見を受信し、前記遠隔診療用アプリケーションを用いて前記遠隔診療対象者と前記指導者との間で行われる遠隔改善指導に係る改善指導報告を前記医師端末装置へ提供する。
【０２３３】
支援装置のアプリケーション送信部は、遠隔診療対象者の対象者端末装置へ遠隔診療用アプリケーションを送信する。遠隔診療対象者が遠隔診療に適しているか否かに関わらず、遠隔診療対象者の対象者端末装置へ予め遠隔診療用アプリケーションを送信することができる。
【０２３４】
受信部は、遠隔診療用アプリケーションを用いて遠隔診療対象者と医師との間で行われる遠隔診療に基づく医師所見を受信する。遠隔診療用アプリケーションを用いた遠隔診療は、例えば、ＴＶ電話とすることができる。
【０２３５】
提供部は、遠隔診療用アプリケーションを用いて遠隔診療対象者と指導者との間で行われる遠隔改善指導に係る改善指導報告を医師端末装置へ提供する。遠隔診療用アプリケーションを用いた遠隔改善指導は、例えば、チャットメッセージを交換することができる。
【０２３６】
上述の構成により、遠隔であっても、通院の場合と同等の診療サービス及び改善指導サービスを受けることができる。また、時間や場所を選ばずに診療サービス及び改善指導サービスを受けることができる。
【０２３７】
本実施の形態に係る支援装置は、前記遠隔診療対象者に対する遠隔診療の可否情報を取得する取得部と、該取得部で遠隔診療の否情報を取得した場合、前記遠隔診療用アプリケーションによる処理を無効にする無効部とを備える。
【０２３８】
支援装置の取得部は、遠隔診療対象者に対する遠隔診療の可否情報を取得する。可否情報は、遠隔診療対象者が遠隔診療に適しているか否かを示す情報である。可否情報は、例えば、医師端末装置から取得することができるが、医師端末装置に限定されない。
【０２３９】
支援装置の無効部は、取得部で遠隔診療の否情報を取得した場合、遠隔診療用アプリケーションによる処理を無効にする。否情報は、遠隔診療対象者が遠隔診療に適していないことを示す情報である。遠隔診療用アプリケーションによる処理は、遠隔診療用アプリケーションを用いて行う処理であり、例えば、医師との遠隔診療、改善指導者との遠隔改善指導などが含まれる。これにより、遠隔診療対象者が遠隔診療に適しているか否かに関わらず、遠隔診療対象者の対象者端末装置へ予め遠隔診療用アプリケーションを送信した場合でも、遠隔診療に適さない者は遠隔診療用アプリケーションを用いることができないので、遠隔診療に誤って参加することを防止することができる。
【０２４０】
本実施の形態に係る支援装置は、前記遠隔診療用アプリケーションを用いて入力された遠隔診療の予約日時を前記対象者端末装置から取得する予約日時取得部と、該予約日時取得部で取得した予約日時よりも所定時間前の時点で遠隔診療の予約ありを通知する通知情報を前記対象者端末装置に送信する通知情報送信部とを備える。
【０２４１】
支援装置の予約日時取得部は、遠隔診療用アプリケーションを用いて入力された遠隔診療の予約日時を対象者端末装置から取得する。これにより、遠隔診療対象者は、病院又は診療所などに実際に行って診療の予約をする必要がなく、都合のよい時に簡単に遠隔診療の予約を行うことができる。
【０２４２】
支援装置の通知情報送信部は、予約日時取得部で取得した予約日時よりも所定時間前の時点で遠隔診療の予約ありを通知する通知情報を対象者端末装置に送信する。所定時間は、例えば、６時間、１２時間、１日など適宜の時間とすることができる。所定時間は、対象者端末装置から入力して遠隔診療対象者が設定してもよく、遠隔診療対象者が設定していない場合には、支援装置で予め定めた時間を用いてもよい。
【０２４３】
上述の構成により、遠隔診療対象者は、遠隔診療の予約があることを前もって通知されるので、予約日時に遠隔診療を忘れずに受けることができる。
【０２４４】
本実施の形態に係る支援装置は、前記遠隔診療用アプリケーションを用いて入力された遠隔診療の予約日時に対応する予約時間枠内で受診待ち状態であることを通知する受診待ち情報を前記対象者端末装置から取得する受診待ち情報取得部と、前記予約時間枠内で受診待ち状態である遠隔診療対象者の一覧情報を前記医師端末装置へ送信する一覧情報送信部とを備える。
【０２４５】
支援装置の受診待ち情報取得部は、遠隔診療用アプリケーションを用いて入力された遠隔診療の予約日時に対応する予約時間枠内で受診待ち状態であることを通知する受診待ち情報を対象者端末装置から取得する。予約時間枠は、例えば、複数の予約を一つの纏まりとして管理するための時間枠であり、例えば、３０分とすることができる。例えば、予約日時を、任意の日の午前１０時とすると、予約日時に対応する予約時間枠は、午前１０時から１０時３０分までとすることができる。受診待ち状態は、例えば、遠隔診療対象者が医師による遠隔診療を待っている状態であり、通院の場合に患者が待合室で受診待ちを行っている状態と同様な状態を表すものである。遠隔診療対象者が対象者端末装置から遠隔診療用アプリケーションを用いて受診待ち情報を入力することにより、予約時間枠内で予約通りに遠隔診療対象者が受診待ちをしているのか否かを把握することができる。
【０２４６】
支援装置の一覧情報送信部は、予約時間枠内で受診待ち状態である遠隔診療対象者の一覧情報を医師端末装置へ送信する。これにより、遠隔診療対象者から遠く離れた遠隔にいる医師は、予約時間枠内で受診を待っている遠隔診療対象者を把握することができ、例えば、ＴＶ電話の発信を行った場合に、相手がＴＶ電話に出ないという事態を防止することができ、多忙な医師が時間を無駄にすることを防止することができる。
【０２４７】
本実施の形態に係る支援装置において、前記一覧情報送信部は、前記予約時間枠内で受診待ち状態である遠隔診療対象者の一覧情報を前記遠隔診療対象者の対象者端末装置へ送信する。
【０２４８】
一覧情報送信部は、予約時間枠内で受診待ち状態である遠隔診療対象者の一覧情報を遠隔診療対象者の対象者端末装置へ送信する。これにより、遠隔診療対象者は、予約時間枠内で受診を待っている他の遠隔診療対象者を把握することができ、例えば、医師からのＴＶ電話を待っている場合に、予約時間枠内での遠隔診療の進捗状況を把握することができ、遠隔診療対象者に安心感を与えることができる。
【０２４９】
本実施の形態に係る支援装置は、前記遠隔診療対象者の遠隔診療の予約時間枠内で前記遠隔診療対象者が受診待ち状態でない場合、該遠隔診療対象者の対象者端末装置に受診待ち情報の入力を要求する要求情報を送信する要求情報送信部を備える。
【０２５０】
支援装置の要求情報送信部は、遠隔診療対象者の遠隔診療の予約時間枠内で遠隔診療対象者が受診待ち状態でない場合、当該遠隔診療対象者の対象者端末装置に受診待ち情報の入力を要求する要求情報を送信する。要求情報を送信する時点は、予約時刻よりも前でもよく、予約時間枠内の時刻でもよい。例えば、予約時間枠が午前１０時から１０時３０分（予約時刻が午前１０時）である場合、午前１０時の１時間前、あるいは３０前でもよく、午前１０時から１０時３０分までの任意の時刻でもよい。これにより、予約時間枠内で遠隔診療を行う遠隔診療対象者の人数が当初の予約時の人数よりも減少することを抑制し、多忙な医師が時間を無駄にすることを防止することができる。
【０２５１】
本実施の形態に係る支援装置において、前記遠隔診療用アプリケーションは、前記遠隔診療に使用する動画再生機能を含む。
【０２５２】
遠隔診療用アプリケーションは、遠隔診療に使用する動画再生機能を含む。これにより、通院の場合と同等の医師の診療を受けることができる。
【０２５３】
本実施の形態に係る支援装置において、前記遠隔診療用アプリケーションは、前記遠隔診療対象者が行う自己採血方式の血液検査方法を提供する機能を含む。
【０２５４】
遠隔診療用アプリケーションは、遠隔診療対象者が行う自己採血方式の血液検査方法を提供する機能を含む。遠隔診療対象者には、予め血液検査キットが郵送される。血液検査方法の提供は、血液検査キットの取り扱い方法を、文章、図表、動画などで提供することができる。これにより、遠隔診療対象者は、遠隔診療に採血が必要な場合でも、自ら採血を行うことができ、病院又は診療所などに通院する必要がない。
【０２５５】
本実施の形態に係る支援装置において、前記遠隔診療用アプリケーションは、前記遠隔改善指導に使用するメッセージ交換機能を含む。
【０２５６】
遠隔診療用アプリケーションは、遠隔改善指導に使用するメッセージ交換機能を含む。これにより、指導者による改善指導、遠隔診療対象者が行った改善活動などを文字等のメッセージで交換することができ、場所や時間に制限されることなく指導者と遠隔診療対象者との間のコミュニケーションを図ることができる。
【０２５７】
本実施の形態に係る支援装置において、前記提供部は、前記遠隔診療対象者と前記医師との間で行われた遠隔診療から、次に実施される遠隔診療までの間に、前記遠隔改善指導に係る改善指導報告を提供する。
【０２５８】
提供部は、遠隔診療対象者と医師との間で行われた遠隔診療から、次に実施される遠隔診療までの間に、遠隔改善指導に係る改善指導報告を提供する。例えば、医師による遠隔診療が１か月に１回の頻度で行われる場合、今回の遠隔診療と次回の遠隔診療との間の１か月間に遠隔改善指導を行って、次回の遠隔診療までの改善指導の改善指導報告を医師に提供することができる。なお、当該１か月間の遠隔改善指導は、遠隔診療対象者の症状に応じて複数回でもよく、症状が良好になるに応じて頻度を少なくしてもよい。
【０２５９】
本実施の形態に係る支援装置は、院内処方を選択する選択情報を前記医師端末装置又は前記遠隔診療対象者の対象者端末装置から取得する選択情報取得部と、該選択情報取得部で選択情報を取得した場合、前記遠隔診療対象者に処方薬を配送するための配送情報を出力する出力部とを備える。
【０２６０】
支援装置の選択情報取得部は、院内処方を選択する選択情報を医師端末装置又は遠隔診療対象者の対象者端末装置から取得する。患者の希望により薬局で薬を受け取る代わりに院内処方とすることができる。遠隔診療を受ける際に、医師が遠隔診療対象者から院内処方を選択したいという希望を聞き取った場合、医師は、院内処方を選択する選択情報を医師端末装置から入力することができる。また、遠隔診療対象者が自ら選択情報を対象者端末装置から入力することができる。
【０２６１】
支援装置の出力部は、選択情報取得部で選択情報を取得した場合、遠隔診療対象者に処方薬を配送するための配送情報を出力する。これにより、処方薬が遠隔診療対象者の自宅等に配送されるので、遠隔診療対象者は、薬を受け取るために薬局に行く必要がなく、薬局に行くための移動時間、調剤待ちなどが不要となり、手間を省くことができる。
【０２６２】
本実施の形態に係る支援装置は、企業職員の中から所定の条件で抽出された前記遠隔診療対象者に係る情報を取得する対象者情報取得部を備える。
【０２６３】
支援装置の対象者情報取得部は、企業職員（例えば、企業健保の組合員など）の中から所定の条件で抽出された遠隔診療対象者に係る情報を取得する。所定の条件は、例えば、遠隔診療に適した軽度な生活習慣病患者（例えば、高血圧、糖尿病、脂質異常、高尿酸などの患者）を抽出することができる条件とすることができ、別言すれば、癌などの医師の指導が必要なもの、重症な疾患、感染症又は精神疾患などの遠隔診療に適さないものを除外するための条件とすることができる。遠隔診療対象者の抽出は、企業職員の健診結果を用いてもよく、あるいは企業職員のレセプトを分析して抽出してもよい。これにより、企業職員の中から遠隔診療の対象となる患者を絞り込むことができる。
【０２６４】
本実施の形態に係る支援装置は、前記遠隔診療対象者の口座から引き落された遠隔診療に係る医療費から所定額を控除した残額を前記医師の口座へ入金する場合の前記所定額を決定する第１決定部を備える。
【０２６５】
支援装置の第１決定部は、遠隔診療対象者の口座から引き落された遠隔診療に係る医療費から所定額を控除した残額を医師の口座へ入金する場合の当該所定額を決定する。遠隔診療対象者は、遠隔診療を受ける際、予め医療費の引落口座を決定しておく（例えば、クレジットカードの登録によって口座を決定しておくことができる）。遠隔診療に係る医療費を遠隔診療対象者の口座から引き落して医師の口座に入金処理する際に所定額を決定して決済代行手数料として差し引くことができる。これにより、遠隔診療対象者は医療費の支払いの手間を省くことができる。また、遠隔診療を受けることにより、通院固有の診療明細に係る自己負担が不要となる可能性があり、遠隔診療対象者にとっては自己負担を軽減することができる。
【０２６６】
本実施の形態に係る支援装置は、前記医師端末装置からのログイン及び遠隔診療に係る情報へのアクセスを受け付ける受付部と、該受付部で受け付けたアクセスに基づいて求められた遠隔診療の回数に応じた遠隔診療料金を前記医師の口座から引き落す場合の前記遠隔診療料金を決定する第２決定部を備える。
【０２６７】
支援装置の受付部は、医師端末装置からのログイン及び遠隔診療に係る情報へのアクセスを受け付ける。
【０２６８】
支援装置の第２決定部は、受付部で受け付けたアクセスに基づいて求められた遠隔診療の回数に応じた遠隔診療料金を医師の口座から引き落す場合の当該遠隔診療料金を決定する。遠隔診療料金は、例えば、遠隔診療に係るシステムのデータベース使用料であり、遠隔診療の回数に応じた従量性とすることができる。
【０２６９】
上述の構成により、遠隔診療料金を医師の口座から引き落とすようにすることで、医師は遠隔診療を行うための支援システムを利用することができる。
【０２７０】
本実施の形態に係るコンピュータプログラムは、コンピュータに、遠隔診療の支援を実行させるため遠隔診療対象者の対象者端末装置で動作するコンピュータプログラムであって、コンピュータに、遠隔診療の予約を受け付ける処理と、遠隔診療を行う医師の医師端末装置との間で動画を用いた遠隔診療に関する情報を送受信する処理と、前記医師の医師所見に基づいて遠隔改善指導を行う指導者の指導者端末装置との間で行われる遠隔改善指導に関する情報を送受信する処理とを実行させる。
【０２７１】
対象者端末装置で動作するコンピュータプログラムは、遠隔診療の予約を受け付け、遠隔診療を行う医師の医師端末装置との間で動画を用いた遠隔診療に関する情報を送受信し、医師の医師所見に基づいて遠隔改善指導を行う指導者の指導者端末装置との間で行われる遠隔改善指導に関する情報を送受信する。
【０２７２】
上述の構成により、遠隔診療対象者は、病院又は診療所などに実際に行って診療の予約をする必要がなく、都合のよい時に簡単に遠隔診療の予約を行うことができる。また、通院の場合と同等の医師の診療を受けることができる。また、指導者による改善指導、遠隔診療対象者が行った改善活動などを文字等のメッセージで交換することができ、場所や時間に制限されることなく指導者と遠隔診療対象者との間のコミュニケーションを図ることができる。
【０２７３】
本実施の形態に係るコンピュータプログラムは、コンピュータに、遠隔診療の支援を実行させるため医師の医師端末装置で動作するコンピュータプログラムであって、コンピュータに、遠隔診療対象者の対象者端末装置との間で、動画を用いた遠隔診療に関する情報を送受信する処理と、前記遠隔診療に基づく医師所見を受け付ける処理と、遠隔改善指導を行う指導者の指導者端末装置から前記医師所見に基づく遠隔改善指導に係る改善指導報告を受信する処理とを実行させる。
【０２７４】
医師端末装置で動作するコンピュータプログラムは、遠隔診療対象者の対象者端末装置との間で、動画を用いた遠隔診療に関する情報を送受信し、遠隔診療に基づく医師所見を受け付け、遠隔改善指導を行う指導者の指導者端末装置から医師所見に基づく遠隔改善指導に係る改善指導報告を受信する。
【０２７５】
上述の構成により、通院の場合と同等の診療を行うことができる。また、遠隔診療対象者に関する種々のデータを閲覧する医師の手間が省け、医師の負担を軽減することができる。
【０２７６】
本実施の形態に係るコンピュータプログラムは、コンピュータに、遠隔診療の支援を実行させるため遠隔改善指導を行う指導者の指導者端末装置で動作するコンピュータプログラムであって、コンピュータに、遠隔診療対象者の対象者端末装置との間で、遠隔改善指導を行う指導者によって行われた、医師所見に基づく遠隔改善指導に関する情報を送受信する処理と、前記遠隔改善指導に係る改善指導報告を受け付ける処理とを実行させる。
【０２７７】
指導者端末装置で動作するコンピュータプログラムは、遠隔診療対象者の対象者端末装置との間で、遠隔改善指導を行う指導者によって行われた遠隔改善指導に関する情報を送受信し、遠隔改善指導に係る改善指導報告を受け付ける。
【０２７８】
上述の構成により、指導者による改善指導、遠隔診療対象者が行った改善活動などを文字等のメッセージで交換することができ、場所や時間に制限されることなく指導者と遠隔診療対象者との間のコミュニケーションを図ることができる。また、また、医師所見に基づいて遠隔診療対象者に対して行われた改善指導の結果を改善指導報告という形式で纏めて医師に提供することができるので、遠隔診療対象者に関する種々のデータを閲覧する医師の手間が省け、医師の負担を軽減することができる。
【０２７９】
本実施の形態に係る対象者端末装置は、所定の情報を表示画面に表示する表示制御部を備える遠隔診療対象者の対象者端末装置であって、前記表示制御部は、遠隔診療の予約を受け付ける予約画面を表示し、遠隔診療を行う医師の医師端末装置との間で行われる遠隔診療に関する動画を表示し、前記医師の医師所見に基づいて遠隔改善指導を行う指導者の指導者端末装置との間で行われる遠隔改善指導に関するメッセージを表示する。
【０２８０】
対象者端末装置の表示制御部は、遠隔診療の予約を受け付ける予約画面を表示し、遠隔診療を行う医師の医師端末装置との間で行われる遠隔診療に関する動画を表示し、医師の医師所見に基づいて遠隔改善指導を行う指導者の指導者端末装置との間で行われる遠隔改善指導に関するメッセージを表示する。
【０２８１】
上述の構成により、遠隔診療対象者は、病院又は診療所などに実際に行って診療の予約をする必要がなく、都合のよい時に簡単に遠隔診療の予約を行うことができる。また、通院の場合と同等の医師の診療を受けることができる。また、指導者による改善指導、遠隔診療対象者が行った改善活動などを文字等のメッセージで交換することができ、場所や時間に制限されることなく指導者と遠隔診療対象者との間のコミュニケーションを図ることができる。
【０２８２】
本実施の形態に係る対象者端末装置は、前記遠隔診療対象者に対する遠隔診療の可否情報を受信する受信部を備え、前記表示制御部は、前記受信部で遠隔診療の可情報を受信した場合、前記予約画面を表示する。
【０２８３】
対象者端末装置の受信部は、遠隔診療対象者に対する遠隔診療の可否情報を受信する。可否情報は、遠隔診療対象者が遠隔診療に適しているか否かを示す情報である。可否情報は、例えば、医師端末装置から取得することができるが、医師端末装置に限定されない。
【０２８４】
表示制御部は、受信部で遠隔診療の可情報を受信した場合、予約画面を表示する。可情報は、遠隔診療対象者が遠隔診療に適していることを示す情報である。これにより、遠隔診療に適している遠隔診療対象者だけが遠隔診療の予約を行うことができる。
【０２８５】
本実施の形態に係る対象者端末装置は、前記予約画面上で遠隔診療の予約日時の入力又は選択を受け付ける第１受付部を備え、前記表示制御部は、前記予約日時よりも所定時間前の時点で遠隔診療の予約ありの通知を表示する。
【０２８６】
第１受付部は、予約画面上で遠隔診療の予約日時の入力又は選択を受け付ける。
【０２８７】
表示制御部は、予約日時よりも所定時間前の時点で遠隔診療の予約ありの通知を表示する。これにより、遠隔診療対象者は、遠隔診療の予約があることを前もって通知されるので、予約日時に遠隔診療を忘れずに受けることができる。
【０２８８】
本実施の形態に係る対象者端末装置は、遠隔診療の予約日時に対応する予約時間枠内で受診待ち状態であることを示す受診待ち情報の入力又は選択を受け付ける第２受付部を備え、前記表示制御部は、前記予約時間枠内で受診待ち状態である遠隔診療対象者の一覧情報を表示する。
【０２８９】
第２受付部は、遠隔診療の予約日時に対応する予約時間枠内で受診待ち状態であることを示す受診待ち情報の入力又は選択を受け付ける。
【０２９０】
表示制御部は、予約時間枠内で受診待ち状態である遠隔診療対象者の一覧情報を表示する。これにより、遠隔診療対象者は、予約時間枠内で受診を待っている他の遠隔診療対象者を把握することができ、例えば、医師からのＴＶ電話を待っている場合に、予約時間枠内での遠隔診療の進捗状況を把握することができ、遠隔診療対象者に安心感を与えることができる。
【０２９１】
本実施の形態に係る対象者端末装置において、前記表示制御部は、前記第２受付部で受診待ち情報の入力又は選択を受け付けていない場合、前記予約時間枠の直前又は該予約時間枠内の所要の時点で受診待ち情報の入力又は選択を促す促進情報を表示する。
【０２９２】
表示制御部は、第２受付部で受診待ち情報の入力又は選択を受け付けていない場合、予約時間枠の直前又は当該予約時間枠内の所要の時点で受診待ち情報の入力又は選択を促す促進情報を表示する。これにより、予約時間枠内で遠隔診療を行う遠隔診療対象者の人数が当初の予約時の人数よりも減少することを抑制し、多忙な医師が時間を無駄にすることを防止することができる。
【０２９３】
本実施の形態に係る対象者端末装置において、前記表示制御部は、院内処方を選択するか否かを受け付ける受付画面を表示し、院内処方が選択された場合、選択情報を出力する出力部を備える。
【０２９４】
表示制御部は、院内処方を選択するか否かを受け付ける受付画面を表示し、出力部は、院内処方が選択された場合、選択情報を出力する。遠隔診療を受ける際に、遠隔診療対象者が自ら院内処方を選択することができる。院内処方を選択する選択情報が出力されると、処方薬を遠隔診療対象者の自宅等に配送する処理を行うことができる。
【０２９５】
本実施の形態に係る医師端末装置は、所定の情報を表示画面に表示する表示制御部を備える医師の医師端末装置であって、前記表示制御部は、遠隔診療対象者の対象者端末装置との間で行われる前記医師による遠隔診療に関する動画を表示し、前記遠隔診療に基づく医師所見を受け付ける受付画面を表示し、前記医師所見に基づく遠隔改善指導に係る改善指導報告を表示する。
【０２９６】
医師端末装置の表示制御部は、遠隔診療対象者の対象者端末装置との間で行われる医師による遠隔診療に関する動画を表示し、遠隔診療に基づく医師所見を受け付ける受付画面を表示し、医師所見に基づく遠隔改善指導に係る改善指導報告を表示する。
【０２９７】
上述の構成により、通院の場合と同等の診療を行うことができる。また、遠隔診療対象者に関する種々のデータを閲覧する医師の手間が省け、医師の負担を軽減することができる。
【０２９８】
本実施の形態に係る医師端末装置において、前記表示制御部は、初回診療後に、前記遠隔診療対象者に対して行われる再診に係る遠隔診療を許可するか否かの入力又は選択を受け付ける受付画面を表示する。
【０２９９】
表示制御部は、初回診療後に、遠隔診療対象者に対して行われる再診に係る遠隔診療を許可するか否かの入力又は選択を受け付ける受付画面を表示する。これにより、遠隔診療に適している遠隔診療対象者を特定し、遠隔診療に適さない者が誤って遠隔診療に参加することを防止することができる。
【０３００】
本実施の形態に係る医師端末装置において、前記表示制御部は、遠隔診療の予約日時に対応する予約時間枠内で受診待ち状態である遠隔診療対象者の一覧情報を表示する。
【０３０１】
表示制御部は、遠隔診療の予約日時に対応する予約時間枠内で受診待ち状態である遠隔診療対象者の一覧情報を表示する。これにより、遠隔診療対象者から遠く離れた遠隔にいる医師は、予約時間枠内で受診を待っている遠隔診療対象者を把握することができ、例えば、ＴＶ電話の発信を行った場合に、相手がＴＶ電話に出ないという事態を防止することができ、多忙な医師が時間を無駄にすることを防止することができる。
【０３０２】
本実施の形態に係る医師端末装置において、前記表示制御部は、院内処方を選択するか否かを受け付ける受付画面を表示し、院内処方が選択された場合、選択情報を出力する出力部を備える。
【０３０３】
表示制御部は、院内処方を選択するか否かを受け付ける受付画面を表示する。出力部は、院内処方が選択された場合、選択情報を出力する。これにより、遠隔診療を受ける際に、医師が遠隔診療対象者から院内処方を選択したいという希望を聞き取った場合、医師は、院内処方を選択する選択情報を医師端末装置から入力することができる。院内処方を選択する選択情報が出力されると、処方薬を遠隔診療対象者の自宅等に配送する処理を行うことができる。
【０３０４】
本実施の形態に係る指導者端末装置は、所定の情報を表示画面に表示する表示制御部を備える遠隔改善指導を行う指導者の指導者端末装置であって、前記表示制御部は、遠隔診療対象者の対象者端末装置との間で行われる、医師所見に基づく遠隔改善指導に関するメッセージを表示し、前記遠隔改善指導に係る改善指導報告を受け付ける受付画面を表示する。
【０３０５】
指導者端末装置の表示制御部は、遠隔診療対象者の対象者端末装置との間で行われる、医師所見に基づく遠隔改善指導に関するメッセージを表示し、遠隔改善指導に係る改善指導報告を受け付ける受付画面を表示する。
【０３０６】
上述の構成により、指導者による改善指導、遠隔診療対象者が行った改善活動などを文字等のメッセージで交換することができ、場所や時間に制限されることなく指導者と遠隔診療対象者との間のコミュニケーションを図ることができる。また、医師所見に基づいて遠隔診療対象者に対して行われた改善指導の結果を改善指導報告という形式で纏めて医師に提供することができるので、遠隔診療対象者に関する種々のデータを閲覧する医師の手間が省け、医師の負担を軽減することができる。
【符号の説明】
【０３０７】
１  通信ネットワーク
１０  医師端末装置
１１  表示画面
１２  制御部
１３  通信部
１４  入力部
１５  記憶部
１６  表示制御部
１７  ＴＶ電話処理部
２０  指導者端末装置
２１  表示画面
２２  制御部
２３  通信部
２４  入力部
２５  記憶部
２６  表示制御部
２７  チャットメッセージ処理部
３０  対象者端末装置
３１  表示画面
３２  制御部
３３  通信部
３４  入力部
３５  記憶部
３６  インタフェース部
３７  表示制御部
３８  チャットメッセージ処理部
３９  ＴＶ電話処理部
５０  サーバ
５１  制御部
５２  第１通信部
５３  第２通信部
５４  第３通信部
５５  チャット機能提供部
５６  対象患者情報取得部
５７  遠隔診療無効部
５８  患者ＤＢ
５９  遠隔診療予約情報ＤＢ
６０  通知用情報ＤＢ
６１  出力部
６２  決定部
７０  レセプト分析サーバ
１０１  患者情報領域
１０２  初回診療結果領域
１０３  遠隔診療許可・不許可受付領域
１０４  遠隔診療受診待ち状況画面
１０５  表示ボタン
１０６  表示領域
１０７  発信ボタン
１１０  患者情報領域
１１１  データ領域
１１２  所見入力領域
１１３  処方選択領域
１２１、２０１  患者一覧領域
１２２、２０２  医師所見領域
１２３、２０３  チャット領域
１２４  指導報告領域
３０１  予約画面
３０１ａ  検索ボタン
３０１ｂ  領域
３０１ｃ  選択ボタン
３０２  遠隔診療通知画面
３０３  チェックイン画面
３０３ａ  チェックインボタン
３０４  遠隔診療受診待ち状況画面
３０５  ＴＶ電話画面
３０６  改善支援メッセージ画面
３１０  血液検査キット取扱説明画面
３１１、３１２  領域
３１３  処方選択画面
【図１】
2019057171.tif 000003
【図２】
2019057171.tif 000004
【図３】
2019057171.tif 000005
【図４】
2019057171.tif 000006
【図５】
2019057171.tif 000007
【図６】
2019057171.tif 000008
【図７】
2019057171.tif 000009
【図８】
2019057171.tif 000010
【図９】
2019057171.tif 000011
【図１０】
2019057171.tif 000012
【図１１】
2019057171.tif 000013
【図１２】
2019057171.tif 000014
【図１３】
2019057171.tif 000015
【図１４】
2019057171.tif 000016
【図１５】
2019057171.tif 000017
【図１６】
2019057171.tif 000018
【図１７】
2019057171.tif 000019
【図１８】
2019057171.tif 000020
【図１９】
2019057171.tif 000021
【図２０】
2019057171.tif 000022
【図２１】
2019057171.tif 000023
【図２２】
2019057171.tif 000024
【図２３】
2019057171.tif 000025
【図２４】
2019057171.tif 000026
【図２５】
2019057171.tif 000027
【図２６】
2019057171.tif 000028
【図２７】
2019057171.tif 000029
【図２８】
2019057171.tif 000030
【図２９】
2019057171.tif 000031
【図３０】
2019057171.tif 000032
【図３１】
2019057171.tif 000033
【図３２】
2019057171.tif 000034
【図３３】
2019057171.tif 000035
【図３４】
2019057171.tif 000036
【図３５】
2019057171.tif 000037
【図３６】
2019057171.tif 000038
【図３７】
2019057171.tif 000039
【図３８】
2019057171.tif 000040
【図３９】
2019057171.tif 000041
【図４０】
2019057171.tif 000042
【図４１】
2019057171.tif 000043